(57)【要約】  本発明は無線通信システムにおいて、端末が下りリンクデータを受信する方法に関する。特に、この方法は、第１サブフレームに含まれる少なくとも１つの第１送信時間間隔(Ｔｒａｎｓｍｉｓｓｉｏｎ Ｔｉｍｅ Ｉｎｔｅｒｖａｌ；ＴＴＩ)及び第２サブフレームに含まれる少なくとも１つの第２ＴＴＩで繰り返し送信される下りリンクデータの繰り返し回数に関する情報を受信し、繰り返し回数に基づいて下りリンクデータを受信することを特徴とし、第１サブフレームのための送信モードと第２サブフレームのための送信モードが異なる場合、下りリンクデータは少なくとも１つの第２ＴＴＩで受信されず、第２サブフレームは第１サブフレームの後に位置することを特徴とする。【選択図】図１４
2021519026.tif 000002
【特許請求の範囲】
【請求項１】
無線通信システムにおいて、端末が下りリンクデータを受信する方法であって、
第１サブフレームに含まれる少なくとも１つの第１送信時間間隔(Ｔｒａｎｓｍｉｓｓｉｏｎ Ｔｉｍｅ Ｉｎｔｅｒｖａｌ；ＴＴＩ)及び第２サブフレームに含まれる少なくとも１つの第２ＴＴＩで繰り返し送信される前記下りリンクデータの繰り返し回数に関する情報を受信し、
前記繰り返し回数に基づいて前記下りリンクデータを受信することを特徴とし、
前記第１サブフレームのための送信モードと前記第２サブフレームのための送信モードが異なる場合、前記下りリンクデータは前記少なくとも１つの第２ＴＴＩで受信されず、
前記第２サブフレームは前記第１サブフレームの後に位置する、下りリンクデータ受信方法。
【請求項２】
前記第１サブフレームと前記第２サブフレームは連続する、請求項１に記載の下りリンクデータ受信方法。
【請求項３】
前記繰り返し回数は１を超える、請求項１に記載の下りリンクデータ受信方法。
【請求項４】
前記第１サブフレーム及び前記第２サブフレームのうちの１つはＭＢＳＦＮ(Ｍｕｌｔｉｃａｓｔ Ｂｒｏａｄｃａｓｔ Ｓｉｎｇｌｅ Ｆｒｅｑｕｅｎｃｙ Ｎｅｔｗｏｒｋ)サブフレームであり、他の１つはｎｏｎ−ＭＢＳＦＮサブフレームである、請求項１に記載の下りリンクデータ受信方法。
【請求項５】
前記第１サブフレーム及び前記第２サブフレームのうちの１つにはＣＲＳ(Ｃｏｍｍｏｎ Ｒｅｆｅｒｅｎｃｅ Ｓｉｇｎａｌ)基盤の送信モードが設定され、他の１つにはＤＭＲＳ(Ｄｅｍｏｄｕｌａｔｉｏｎ Ｒｅｆｅｒｅｎｃｅ Ｓｉｇｎａｌ)基盤の送信モードが設定される、請求項１に記載の下りリンクデータ受信方法。
【請求項６】
前記下りリンクデータの繰り返し回数に関する情報はＣ−ＲＮＴＩ(ｃｅｌｌ−ｒａｄｉｏ Ｎｅｔｗｏｒｋ Ｔｅｍｐｏｒａｒｙ Ｉｄｅｎｔｉｆｉｅｒ)基盤のＤＣＩ(Ｄｏｗｎｌｉｎｋ ｃｏｎｔｒｏｌ Ｉｎｆｏｒｍａｔｉｏｎ)に含まれる、請求項１に記載の下りリンクデータ受信方法。
【請求項７】
前記少なくとも１つの第１ＴＴＩ及び前記少なくとも１つの第２ＴＴＩは、短いＴＴＩ(Ｓｈｏｒｔ ＴＴＩ)である、請求項１に記載の下りリンクデータ受信方法。
【請求項８】
無線通信システムにおいて、下りリンクデータを受信するための装置であって、
メモリと、
前記メモリに結合された少なくとも１つのプロセッサとを含み、
前記少なくとも１つのプロセッサは、
第１サブフレームに含まれる少なくとも１つの第１送信時間間隔(Ｔｒａｎｓｍｉｓｓｉｏｎ Ｔｉｍｅ Ｉｎｔｅｒｖａｌ；ＴＴＩ)及び第２サブフレームに含まれる少なくとも１つの第２ＴＴＩで繰り返し送信される前記下りリンクデータの繰り返し回数に関する情報を受信し、
前記繰り返し回数に基づいて前記下りリンクデータを受信するように制御することを特徴とし、
前記第１サブフレームのための送信モードと前記第２サブフレームのための送信モードが異なる場合、前記下りリンクデータは前記少なくとも１つの第２ＴＴＩで受信されず、
前記第２サブフレームは前記第１サブフレームの後に位置する、装置。
【請求項９】
前記第１サブフレームと前記第２サブフレームは連続する、請求項８に記載の装置。
【請求項１０】
前記繰り返し回数は１を超える、請求項８に記載の装置。
【請求項１１】
前記第１サブフレーム及び前記第２サブフレームのうちの１つはＭＢＳＦＮ(Ｍｕｌｔｉｃａｓｔ Ｂｒｏａｄｃａｓｔ Ｓｉｎｇｌｅ Ｆｒｅｑｕｅｎｃｙ Ｎｅｔｗｏｒｋ)サブフレームであり、他の１つはｎｏｎ−ＭＢＳＦＮサブフレームである、請求項８に記載の装置。
【請求項１２】
前記第１サブフレーム及び前記第２サブフレームのうちの１つにはＣＲＳ(Ｃｏｍｍｏｎ Ｒｅｆｅｒｅｎｃｅ Ｓｉｇｎａｌ)基盤の送信モードが設定され、他の１つにはＤＭＲＳ(Ｄｅｍｏｄｕｌａｔｉｏｎ Ｒｅｆｅｒｅｎｃｅ Ｓｉｇｎａｌ)基盤の送信モードが設定される、請求項８に記載の装置。
【請求項１３】
前記下りリンクデータの繰り返し回数に関する情報はＣ−ＲＮＴＩ(ｃｅｌｌ−ｒａｄｉｏ Ｎｅｔｗｏｒｋ Ｔｅｍｐｏｒａｒｙ Ｉｄｅｎｔｉｆｉｅｒ)基盤のＤＣＩ(Ｄｏｗｎｌｉｎｋ ｃｏｎｔｒｏｌ Ｉｎｆｏｒｍａｔｉｏｎ)に含まれる、請求項８に記載の装置。
【請求項１４】
前記少なくとも１つの第１ＴＴＩ及び前記少なくとも１つの第２ＴＴＩは、短いＴＴＩ(Ｓｈｏｒｔ ＴＴＩ)である、請求項８に記載の装置。
【請求項１５】
無線通信システムにおいて、基地局が下りリンクデータを送信する方法であって、
第１サブフレームに含まれる少なくとも１つの第１送信時間間隔(Ｔｒａｎｓｍｉｓｓｉｏｎ Ｔｉｍｅ Ｉｎｔｅｒｖａｌ；ＴＴＩ)及び第２サブフレームに含まれる少なくとも１つの第２ＴＴＩで繰り返し送信される前記下りリンクデータの繰り返し回数に関する情報を送信し、
前記繰り返し回数に基づいて前記下りリンクデータを送信することを特徴とし、
前記第１サブフレームのための送信モードと前記第２サブフレームのための送信モードが異なる場合、前記下りリンクデータは前記少なくとも１つの第２ＴＴＩで送信されず、
前記第２サブフレームは前記第１サブフレームの後に位置する、下りリンクデータ送信方法。
【請求項１６】
無線通信システムにおいて、下りリンクデータを受信するための端末であって、
トランシーバーと、
前記トランシーバーに結合された少なくとも１つのプロセッサとを含み、
前記少なくとも１つのプロセッサは、
第１サブフレームに含まれる少なくとも１つの第１送信時間間隔(Ｔｒａｎｓｍｉｓｓｉｏｎ Ｔｉｍｅ Ｉｎｔｅｒｖａｌ；ＴＴＩ)及び第２サブフレームに含まれる少なくとも１つの第２ＴＴＩで繰り返し送信される前記下りリンクデータの繰り返し回数に関する情報を受信するように前記トランシーバーを制御し、
前記繰り返し回数に基づいて前記下りリンクデータを受信するように前記トランシーバーを制御することを特徴とし、
前記第１サブフレームのための送信モードと前記第２サブフレームのための送信モードが異なる場合、前記下りリンクデータは前記少なくとも１つの第２ＴＴＩで受信されず、
前記第２サブフレームは前記第１サブフレームの後に位置する、端末。
【請求項１７】
無線通信システムにおいて、下りリンクデータを送信するための基地局であって、
トランシーバーと、
前記トランシーバーに結合された少なくとも１つのプロセッサとを含み、
前記少なくとも１つのプロセッサは、
第１サブフレームに含まれる少なくとも１つの第１送信時間間隔(Ｔｒａｎｓｍｉｓｓｉｏｎ Ｔｉｍｅ Ｉｎｔｅｒｖａｌ；ＴＴＩ)及び第２サブフレームに含まれる少なくとも１つの第２ＴＴＩで繰り返し送信される前記下りリンクデータの繰り返し回数に関する情報を送信するように前記トランシーバーを制御し、
前記繰り返し回数に基づいて前記下りリンクデータを送信するように前記トランシーバーを制御することを特徴とし、
前記第１サブフレームのための送信モードと前記第２サブフレームのための送信モードが異なる場合、前記下りリンクデータは前記少なくとも１つの第２ＴＴＩで送信されず、
前記第２サブフレームは前記第１サブフレームの後に位置する、基地局。
【発明の詳細な説明】
【技術分野】
【０００１】
本発明は下りリンクデータを送受信する方法及びそのための装置に関し、より詳しくは、連続するサブフレームが互いに異なるサブフレームタイプ及び／又は互いに異なる送信モードに設定された場合、連続するサブフレームにわたって繰り返し送信されるデータを送受信する方法及びそのための装置に関する。
【背景技術】
【０００２】
本発明を適用できる無線通信システムの一例として、３ＧＰＰ ＬＴＥ(３ｒｄ Ｇｅｎｅｒａｔｉｏｎ Ｐａｒｔｎｅｒｓｈｉｐ Ｐｒｏｊｅｃｔ Ｌｏｎｇ Ｔｅｒｍ Ｅｖｏｌｕｔｉｏｎ；以下、「ＬＴＥ」という)通信システムについて概略的に説明する。
【０００３】
図１は、無線通信システムの一例としてＥ−ＵＭＴＳネットワーク構造を示す概略図である。Ｅ−ＵＭＴＳ(Ｅｖｏｌｖｅｄ Ｕｎｉｖｅｒｓａｌ Ｍｏｂｉｌｅ Ｔｅｌｅｃｏｍｍｕｎｉｃａｔｉｏｎｓ Ｓｙｓｔｅｍ)は、既存のＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)から進展したシステムであり、現在３ＧＰＰで基礎的な標準化作業が進行中である。一般に、Ｅ−ＵＭＴＳをＬＴＥ(Ｌｏｎｇ Ｔｅｒｍ Ｅｖｏｌｕｔｉｏｎ)システムとも言える。ＵＭＴＳ及びＥ−ＵＭＴＳの技術規格(ｔｅｃｈｎｉｃａｌ ｓｐｅｃｉｆｉｃａｔｉｏｎ)の詳細な内容については、それぞれ「３ｒｄ Ｇｅｎｅｒａｔｉｏｎ Ｐａｒｔｎｅｒｓｈｉｐ Ｐｒｏｊｅｃｔ；Ｔｅｃｈｎｉｃａｌ Ｓｐｅｃｉｆｉｃａｔｉｏｎ Ｇｒｏｕｐ Ｒａｄｉｏ Ａｃｃｅｓｓ Ｎｅｔｗｏｒｋ」のＲｅｌｅａｓｅ７及びＲｅｌｅａｓｅ８を参照できる。
【０００４】
図１を参照すると、Ｅ−ＵＭＴＳは、端末(Ｕｓｅｒ Ｅｑｕｉｐｍｅｎｔ；ＵＥ)、基地局(ｅＮｏｄｅＢ；ｅＮＢ)、及びネットワーク(Ｅ−ＵＴＲＡＮ)の終端に位置して、外部ネットワークに接続するアクセスゲートウェイ(Ａｃｃｅｓｓ Ｇａｔｅｗａｙ；ＡＧ)を含む。基地局は、ブロードキャストサービス、マルチキャストサービス及び／又はユニキャストサービスのために多重データストリームを同時に送信することができる。
【０００５】
１つの基地局には１つ以上のセルが存在する。セルは、１．２５、２．５、５、１０、１５、２０ＭＨｚなどの帯域幅のいずれか１つに設定され、複数の端末に下り又は上り送信サービスを提供する。互いに異なるセルは、互いに異なる帯域幅を提供するように設定される。基地局は、複数の端末に対するデータ送受信を制御する。下りリンク(Ｄｏｗｎｌｉｎｋ；ＤＬ)データに対して、基地局は下りリンクスケジューリング情報を送信し、該当端末にデータが送信される時間／周波数領域、符号化、データサイズ、ＨＡＲＱ(Ｈｙｂｒｉｄ Ａｕｔｏｍａｔｉｃ Ｒｅｐｅａｔ ａｎｄ ｒｅＱｕｅｓｔ)関連情報などを知らせる。また、上りリンク(Ｕｐｌｉｎｋ；ＵＬ)データに対して、基地局は上りリンクスケジューリング情報を該当端末に送信し、該当端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク(Ｃｏｒｅ Ｎｅｔｗｏｒｋ；ＣＮ)は、ＡＧ、及び端末のユーザ登録などのためのネットワークノードなどで構成可能である。ＡＧは、複数のセルで構成されるＴＡ(Ｔｒａｃｋｉｎｇ Ａｒｅａ)単位に端末の移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
本発明は下りリンクデータチャネルを送受信する方法及びそのための装置を提案する。
【０００８】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００９】
本発明の実施例による無線通信システムにおいて、端末が下りリンクデータを受信する方法であって、第１サブフレームに含まれる少なくとも１つの第１送信時間間隔(Ｔｒａｎｓｍｉｓｓｉｏｎ Ｔｉｍｅ Ｉｎｔｅｒｖａｌ；ＴＴＩ)及び第２サブフレームに含まれる少なくとも１つの第２ＴＴＩで繰り返し送信される下りリンクデータの繰り返し回数に関する情報を受信し、繰り返し回数に基づいて下りリンクデータを受信することを特徴とし、第１サブフレームのための送信モードと第２サブフレームのための送信モードが異なる場合、下りリンクデータは少なくとも１つの第２ＴＴＩで受信されず、第２サブフレームは第１サブフレームの後に位置する。
【００１０】
この時、第１サブフレームと第２サブフレームは連続する。
【００１１】
繰り返し回数は１を超えることができる。
【００１２】
第１サブフレーム及び第２サブフレームのうちの１つはＭＢＳＦＮ(Ｍｕｌｔｉｃａｓｔ Ｂｒｏａｄｃａｓｔ Ｓｉｎｇｌｅ Ｆｒｅｑｕｅｎｃｙ Ｎｅｔｗｏｒｋ)サブフレームであり、他の１つはｎｏｎ−ＭＢＳＦＮサブフレームである。
【００１３】
第１サブフレーム及び第２サブフレームのうちの１つにはＣＲＳ(Ｃｏｍｍｏｎ Ｒｅｆｅｒｅｎｃｅ Ｓｉｇｎａｌ)基盤の送信モードが設定され、他の１つにはＤＭＲＳ(Ｄｅｍｏｄｕｌａｔｉｏｎ Ｒｅｆｅｒｅｎｃｅ Ｓｉｇｎａｌ)基盤の送信モードが設定される。
【００１４】
下りリンクデータの繰り返し回数に関する情報はＣ−ＲＮＴＩ(ｃｅｌｌ−ｒａｄｉｏ Ｎｅｔｗｏｒｋ Ｔｅｍｐｏｒａｒｙ Ｉｄｅｎｔｉｆｉｅｒ)基盤のＤＣＩ(Ｄｏｗｎｌｉｎｋ ｃｏｎｔｒｏｌ Ｉｎｆｏｒｍａｔｉｏｎ)に含まれる。
【００１５】
少なくとも１つの第１ＴＴＩ及び少なくとも１つの第２ＴＴＩは、短いＴＴＩ(Ｓｈｏｒｔ ＴＴＩ)である。
【００１６】
本発明による無線通信システムにおいて、下りリンクデータを受信するための装置であって、メモリとメモリに結合された少なくとも１つのプロセッサを含み、少なくとも１つのプロセッサは、第１サブフレームに含まれる少なくとも１つの第１送信時間間隔(Ｔｒａｎｓｍｉｓｓｉｏｎ Ｔｉｍｅ Ｉｎｔｅｒｖａｌ；ＴＴＩ)及び第２サブフレームに含まれる少なくとも１つの第２ＴＴＩで繰り返し送信される下りリンクデータの繰り返し回数に関する情報を受信し、繰り返し回数に基づいて下りリンクデータを受信するように制御することを特徴とし、第１サブフレームのための送信モードと第２サブフレームのための送信モードが異なる場合、下りリンクデータは少なくとも１つの第２ＴＴＩで受信されず、第２サブフレームは第１サブフレームの後に位置する。
【００１７】
この時、第１サブフレームと第２サブフレームは連続する。
【００１８】
繰り返し回数は１を超えることができる。
【００１９】
第１サブフレーム及び第２サブフレームのうちの１つはＭＢＳＦＮ(Ｍｕｌｔｉｃａｓｔ Ｂｒｏａｄｃａｓｔ Ｓｉｎｇｌｅ Ｆｒｅｑｕｅｎｃｙ Ｎｅｔｗｏｒｋ)サブフレームであり、他の１つはｎｏｎ−ＭＢＳＦＮサブフレームである。
【００２０】
第１サブフレーム及び第２サブフレームのうちの１つにはＣＲＳ(Ｃｏｍｍｏｎ Ｒｅｆｅｒｅｎｃｅ Ｓｉｇｎａｌ)基盤の送信モードが設定され、他の１つにはＤＭＲＳ(Ｄｅｍｏｄｕｌａｔｉｏｎ Ｒｅｆｅｒｅｎｃｅ Ｓｉｇｎａｌ)基盤の送信モードが設定される。
【００２１】
下りリンクデータの繰り返し回数に関する情報はＣ−ＲＮＴＩ(ｃｅｌｌ−ｒａｄｉｏ Ｎｅｔｗｏｒｋ Ｔｅｍｐｏｒａｒｙ Ｉｄｅｎｔｉｆｉｅｒ)基盤のＤＣＩ(Ｄｏｗｎｌｉｎｋ ｃｏｎｔｒｏｌ Ｉｎｆｏｒｍａｔｉｏｎ)に含まれる。
【００２２】
少なくとも１つの第１ＴＴＩ及び少なくとも１つの第２ＴＴＩは、短いＴＴＩ(Ｓｈｏｒｔ ＴＴＩ)である。
【００２３】
本発明の実施例による無線通信システムにおいて、基地局が下りリンクデータを送信する方法であって、第１サブフレームに含まれる少なくとも１つの第１送信時間間隔(Ｔｒａｎｓｍｉｓｓｉｏｎ Ｔｉｍｅ Ｉｎｔｅｒｖａｌ；ＴＴＩ)及び第２サブフレームに含まれる少なくとも１つの第２ＴＴＩで繰り返し送信される下りリンクデータの繰り返し回数に関する情報を送信し、繰り返し回数に基づいて下りリンクデータを送信することを特徴とし、第１サブフレームのための送信モードと第２サブフレームのための送信モードが異なる場合、下りリンクデータは少なくとも１つの第２ＴＴＩで送信されず、第２サブフレームは第１サブフレームの後に位置する。
【００２４】
本発明による無線通信システムにおいて、下りリンクデータを受信するための端末であって、トランシーバーと、トランシーバーに結合された少なくとも１つのプロセッサとを含み、少なくとも１つのプロセッサは、第１サブフレームに含まれる少なくとも１つの第１送信時間間隔(Ｔｒａｎｓｍｉｓｓｉｏｎ Ｔｉｍｅ Ｉｎｔｅｒｖａｌ；ＴＴＩ)及び第２サブフレームに含まれる少なくとも１つの第２ＴＴＩで繰り返し送信される下りリンクデータの繰り返し回数に関する情報を受信するようにトランシーバーを制御し、繰り返し回数に基づいて下りリンクデータを受信するようにトランシーバーを制御することを特徴とし、第１サブフレームのための送信モードと第２サブフレームのための送信モードが異なる場合、下りリンクデータは少なくとも１つの第２ＴＴＩで受信されず、第２サブフレームは第１サブフレームの後に位置する。
【００２５】
本発明の実施例による無線通信システムにおいて、下りリンクデータを送信するための基地局であって、トランシーバーと、トランシーバーに結合された少なくとも１つのプロセッサとを含み、少なくとも１つのプロセッサは、第１サブフレームに含まれる少なくとも１つの第１送信時間間隔(Ｔｒａｎｓｍｉｓｓｉｏｎ Ｔｉｍｅ Ｉｎｔｅｒｖａｌ；ＴＴＩ)及び第２サブフレームに含まれる少なくとも１つの第２ＴＴＩで繰り返し送信される下りリンクデータの繰り返し回数に関する情報を送信するようにトランシーバーを制御し、繰り返し回数に基づいて下りリンクデータを送信するようにトランシーバーを制御することを特徴とし、第１サブフレームのための送信モードと第２サブフレームのための送信モードが異なる場合、下りリンクデータは少なくとも１つの第２ＴＴＩで送信されず、第２サブフレームは第１サブフレームの後に位置する。
【発明の効果】
【００２６】
本発明によれば、互いに異なるサブフレームタイプ及び／又は互いに異なる送信モードに設定されたサブフレームにわたって繰り返し送信されるデータを効率的にスケジューリングすることができる。
【００２７】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００２８】
【図１】無線通信システムの一例としてＥ−ＵＭＴＳネットワーク構造を示す概略図である。
【図２】３ＧＰＰ無線接続ネットワーク規格に基づく端末とＥ−ＵＴＲＡＮ間の無線インターフェースプロトコル(Ｒａｄｉｏ Ｉｎｔｅｒｆａｃｅ Ｐｒｏｔｏｃｏｌ)の制御平面(Ｃｏｎｔｒｏｌ Ｐｌａｎｅ)及びユーザ平面(Ｕｓｅｒ Ｐｌａｎｅ)構造を示す図である。
【図３】３ＧＰＰシステムに用いられる物理チャネル及びこれらのチャネルを用いた一般的な信号送信方法を説明するための図である。
【図４】ＬＴＥシステムで用いられる無線フレームの構造を例示する図である。
【図５】ＬＴＥシステムで用いられる下りリンク無線フレームの構造を例示する図である。
【図６】ＬＴＥシステムにおいて下りリンク制御チャネルを構成する時に使用されるリソース単位を示す図である。
【図７】ＬＴＥシステムで用いられる上りリンクサブフレームの構造を示す図である。
【図８】ＭＢＳＦＮ(Ｍｕｌｔｉｍｅｄｉａ Ｂｒｏａｄｃａｓｔ Ｓｉｎｇｌｅ Ｆｒｅｑｕｅｎｃｙ Ｎｅｔｗｏｒｋ)サブフレームの構造を説明する図である。
【図９】短いＴＴＩ(Ｓｈｏｒｔ ｔｒａｎｓｍｉｓｓｉｏｎ Ｔｉｍｅ Ｉｎｔｅｒｖａｌ)の構造を説明する図である。
【図１０】繰り返し送信されるデータがスケジュールされる例示を説明する図である。
【図１１】本発明による端末、基地局及びネットワーク動作を説明する図である。
【図１２】本発明による端末、基地局及びネットワーク動作を説明する図である。
【図１３】本発明による端末、基地局及びネットワーク動作を説明する図である。
【図１４】互いに異なる送信モード及び／又はタイプに設定されたサブフレームにわたって繰り返し送信されるデータの例示を示す図である。
【図１５】本発明を行う無線装置の構成要素を示すブロック図である。
【発明を実施するための形態】
【００２９】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００３０】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。また、本明細書ではＦＤＤ方式に基づいて本発明の実施例を説明するが、これは例示に過ぎず、本発明の実施例は、Ｈ−ＦＤＤ方式又はＴＤＤ方式にも容易に変形して適用できる。
【００３１】
図２は、３ＧＰＰ無線接続網規格に基づく端末とＥ−ＵＴＲＡＮとの間の無線インターフェースプロトコル(Ｒａｄｉｏ Ｉｎｔｅｒｆａｃｅ Ｐｒｏｔｏｃｏｌ)の制御平面及びユーザ平面の構造を示す図である。制御平面とは、端末(Ｕｓｅｒ Ｅｑｕｉｐｍｅｎｔ；ＵＥ)とネットワークとが信号を管理するために用いる制御メッセージが送信される通路のことを意味する。ユーザ平面とは、アプリケーション層で生成されたデータ、例えば、音声データ又はインターネットパケットデータなどが送信される通路のことを意味する。
【００３２】
第１層である物理層は、物理チャネル(Ｐｈｙｓｉｃａｌ Ｃｈａｎｎｅｌ)を用いて上位層に情報送信サービス(Ｉｎｆｏｒｍａｔｉｏｎ Ｔｒａｎｓｆｅｒ Ｓｅｒｖｉｃｅ)を提供する。物理層は、上位の媒体接続制御(Ｍｅｄｉｕｍ Ａｃｃｅｓｓ Ｃｏｎｔｒｏｌ)層とは送信チャネル(Ｔｒａｎｓｐｏｒｔ Ｃｈａｎｎｅｌ)を介して接続されている。該送信チャネルを通じて媒体接続制御層と物理層との間にデータが移動する。送信側の物理層と受信側の物理層との間には物理チャネルを通じてデータが移動する。該物理チャネルは、時間及び周波数を無線リソースとして活用する。具体的には、物理チャネルは、下りリンクにおいてＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)方式で変調され、上りリンクにおいてＳＣ−ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)方式で変調される。
【００３３】
第２層の媒体接続制御(Ｍｅｄｉｕｍ Ａｃｃｅｓｓ Ｃｏｎｔｒｏｌ；ＭＡＣ)層は、論理チャネル(Ｌｏｇｉｃａｌ Ｃｈａｎｎｅｌ)を通じて、上位層である無線リンク制御(Ｒａｄｉｏ Ｌｉｎｋ Ｃｏｎｔｒｏｌ；ＲＬＣ)層にサービスを提供する。第２層のＲＬＣ層は、信頼できるデータ送信を支援する。ＲＬＣ層の機能は、ＭＡＣ内部の機能ブロックとしてもよい。第２層のＰＤＣＰ(Ｐａｃｋｅｔ Ｄａｔａ Ｃｏｎｖｅｒｇｅｎｃｅ Ｐｒｏｔｏｃｏｌ)層は、帯域幅の狭い無線インターフェースでＩＰｖ４やＩＰｖ６のようなＩＰパケットを効率的に送信するために、余分の制御情報を減らすヘッダー圧縮(Ｈｅａｄｅｒ Ｃｏｍｐｒｅｓｓｉｏｎ)機能を果たす。
【００３４】
第３層の最下部に位置する無線リソース制御(Ｒａｄｉｏ Ｒｅｓｏｕｒｃｅ Ｃｏｎｔｒｏｌ；ＲＲＣ)層は、制御平面にのみ定義される。ＲＲＣ層は、無線ベアラー(Ｒａｄｉｏ Ｂｅａｒｅｒ)の設定(Ｃｏｎｆｉｇｕｒａｔｉｏｎ)、再設定(Ｒｅ−ｃｏｎｆｉｇｕｒａｔｉｏｎ)及び解除(Ｒｅｌｅａｓｅ)に関連して、論理チャネル、送信チャネル及び物理チャネルの制御を担当する。無線ベアラー(ＲＢ)とは、端末とネットワーク間のデータ伝達のために第２層により提供されるサービスのことを意味する。そのために、端末のＲＲＣ層とネットワークのＲＲＣ層とはＲＲＣメッセージを互いに交換する。端末のＲＲＣ層とネットワークのＲＲＣ層間にＲＲＣ接続(ＲＲＣ Ｃｏｎｎｅｃｔｅｄ)がある場合に、端末はＲＲＣ接続状態(Ｃｏｎｎｅｃｔｅｄ Ｍｏｄｅ)にあり、そうでない場合は、ＲＲＣ休止状態(Ｉｄｌｅ Ｍｏｄｅ)にあるようになる。ＲＲＣ層の上位にあるＮＡＳ(Ｎｏｎ−Ａｃｃｅｓｓ Ｓｔｒａｔｕｍ)層は、セッション管理(Ｓｅｓｓｉｏｎ Ｍａｎａｇｅｍｅｎｔ)と移動性管理(Ｍｏｂｉｌｉｔｙ Ｍａｎａｇｅｍｅｎｔ)などの機能を果たす。
【００３５】
基地局(ｅＮＢ)を構成する１つのセルは、１.２５、２.５、５、１０、１５、２０ＭＨｚなどの帯域幅のうちの１つに設定されて、複数の端末に下り又は上り送信サービスを提供する。互いに異なるセルは、互いに異なる帯域幅を提供するように設定される。
【００３６】
ネットワークから端末にデータを送信する下り送信チャネルとしては、システム情報を送信するＢＣＨ(Ｂｒｏａｄｃａｓｔ Ｃｈａｎｎｅｌ)、ページングメッセージを送信するＰＣＨ(Ｐａｇｉｎｇ Ｃｈａｎｎｅｌ)、ユーザトラフィックや制御メッセージを送信する下りＳＣＨ(Ｓｈａｒｅｄ Ｃｈａｎｎｅｌ)などがある。下りマルチキャスト又は放送サービスのトラフィック又は制御メッセージは、下りＳＣＨを介して送信されてもよく、別の下りＭＣＨ(Ｍｕｌｔｉｃａｓｔ Ｃｈａｎｎｅｌ)を通じて送信されてもよい。一方、端末からネットワークにデータを送信する上り送信チャネルとしては、初期制御メッセージを送信するＲＡＣＨ(Ｒａｎｄｏｍ Ａｃｃｅｓｓ Ｃｈａｎｎｅｌ)、ユーザトラフィックや制御メッセージを送信する上りＳＣＨ(Ｓｈａｒｅｄ Ｃｈａｎｎｅｌ)がある。送信チャネルの上位に存在し、送信チャネルにマッピングされる論理チャネル(Ｌｏｇｉｃａｌ Ｃｈａｎｎｅｌ)としては、ＢＣＣＨ(Ｂｒｏａｄｃａｓｔ Ｃｏｎｔｒｏｌ Ｃｈａｎｎｅｌ)、ＰＣＣＨ(Ｐａｇｉｎｇ Ｃｏｎｔｒｏｌ Ｃｈａｎｎｅｌ)、ＣＣＣＨ(Ｃｏｍｍｏｎ Ｃｏｎｔｒｏｌ Ｃｈａｎｎｅｌ)、ＭＣＣＨ(Ｍｕｌｔｉｃａｓｔ Ｃｏｎｔｒｏｌ Ｃｈａｎｎｅｌ)、ＭＴＣＨ(Ｍｕｌｔｉｃａｓｔ Ｔｒａｆｆｉｃ Ｃｈａｎｎｅｌ)などがある。
【００３７】
図３は、３ＧＰＰシステムに用いられる物理チャネル及びこれらのチャネルを用いた一般の信号送信方法を説明するための図である。
【００３８】
端末は、電源が入ったり、新しくセルに進入したりした場合に、基地局と同期を取る等の初期セル探索(Ｉｎｉｔｉａｌ ｃｅｌｌ ｓｅａｒｃｈ)作業を行う(Ｓ３０１)。そのために、端末は、基地局からプライマリ同期チャネル(Ｐｒｉｍａｒｙ Ｓｙｎｃｈｒｏｎｉｚａｔｉｏｎ Ｃｈａｎｎｅｌ；Ｐ−ＳＣＨ)及びセカンダリ同期チャネル(Ｓｅｃｏｎｄａｒｙ Ｓｙｎｃｈｒｏｎｉｚａｔｉｏｎ Ｃｈａｎｎｅｌ；Ｓ−ＳＣＨ)を受信して基地局と同期を取り、セルＩＤなどの情報を取得すればよい。その後、端末は、基地局から物理放送チャネル(Ｐｈｙｓｉｃａｌ Ｂｒｏａｄｃａｓｔ Ｃｈａｎｎｅｌ)を受信し、セル内放送情報を取得できる。一方、端末は、初期セル探索段階で、下りリンク参照信号(Ｄｏｗｎｌｉｎｋ Ｒｅｆｅｒｅｎｃｅ Ｓｉｇｎａｌ；ＤＬ ＲＳ)を受信し、下りリンクチャネル状態を確認できる。
【００３９】
初期セル探索を終えた端末は、物理下りリンク制御チャネル(Ｐｈｙｓｉｃａｌ Ｄｏｗｎｌｉｎｋ Ｃｏｎｔｒｏｌ Ｃｈａｎｎｅｌ；ＰＤＣＣＨ)、及び該ＰＤＣＣＨに載せられた情報に基づいて物理下りリンク共有チャネル(Ｐｈｙｓｉｃａｌ Ｄｏｗｎｌｉｎｋ Ｃｏｎｔｒｏｌ Ｃｈａｎｎｅｌ；ＰＤＳＣＨ)を受信することによって、より具体的なシステム情報を取得できる(Ｓ３０２)。
【００４０】
一方、基地局に最初に接続したり信号送信のための無線リソースがない場合には、端末は、基地局にランダムアクセス手順(Ｒａｎｄｏｍ Ａｃｃｅｓｓ Ｐｒｏｃｅｄｕｒｅ；ＲＡＣＨ)を行ってよい(Ｓ３０３乃至Ｓ３０６)。そのために、端末は、物理ランダムアクセスチャネル(Ｐｈｙｓｉｃａｌ Ｒａｎｄｏｍ Ａｃｃｅｓｓ Ｃｈａｎｎｅｌ；ＰＲＡＣＨ)を通じて特定シーケンスをプリアンブルとして送信し(Ｓ３０３及びＳ３０５)、ＰＤＣＣＨ及び対応するＰＤＳＣＨを介して、プリアンブルに対する応答メッセージを受信すればよい(Ｓ３０４及びＳ３０６)。競合ベースのＲＡＣＨについては、競合解決手順(Ｃｏｎｔｅｎｔｉｏｎ Ｒｅｓｏｌｕｔｉｏｎ Ｐｒｏｃｅｄｕｒｅ)をさらに行ってもよい。
【００４１】
上述の手順を行った端末は、その後、一般的な上りリンク／下りリンク信号送信手順として、ＰＤＣＣＨ／ＰＤＳＣＨ受信(Ｓ３０７)、及び物理上りリンク共有チャネル(Ｐｈｙｓｉｃａｌ Ｕｐｌｉｎｋ Ｓｈａｒｅｄ Ｃｈａｎｎｅｌ；ＰＵＳＣＨ)／物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)送信(Ｓ３０８)を行えばよい。特に、端末はＰＤＣＣＨを介して下りリンク制御情報(Ｄｏｗｎｌｉｎｋ Ｃｏｎｔｒｏｌ Ｉｎｆｏｒｍａｔｉｏｎ；ＤＣＩ)を受信する。ここで、ＤＣＩは、端末に対するリソース割り当て情報のような制御情報を含んでおり、その使用目的によってフォーマットが異なっている。
【００４２】
一方、端末が上りリンクを通じて基地局に送信する又は端末が基地局から受信する制御情報としては、下りリンク／上りリンクＡＣＫ／ＮＡＣＫ信号、ＣＱＩ(Ｃｈａｎｎｅｌ Ｑｕａｌｉｔ Ｉｎｄｉｃａｔｏｒ)、ＰＭＩ(Ｐｒｅｃｏｄｉｎｇ Ｍａｔｒｉｘ Ｉｎｄｅｘ)、ＲＩ(Ｒａｎｋ Ｉｎｄｉｃａｔｏｒ)などを含む。３ＧＰＰ ＬＴＥシステムでは、端末は、これらのＣＱＩ／ＰＭＩ／ＲＩなどの制御情報をＰＵＳＣＨ及び／又はＰＵＣＣＨを介して送信してもよい。
【００４３】
図４は、ＬＴＥシステムで用いられる無線フレームの構造を例示する図である。
【００４４】
図４を参照すると、無線フレーム(ｒａｄｉｏ ｆｒａｍｅ)は１０ｍｓ(３２７２００×Ｔｓ)の長さを有し、１０個の均等なサイズのサブフレームで構成されている。それぞれのサブフレームは１ｍｓの長さを有し、２個のスロットで構成されている。それぞれのスロットは０．５ｍｓ(１５３６０×Ｔｓ)の長さを有する。ここで、Ｔｓはサンプリング時間を表し、Ｔｓ＝１／(１５ｋＨｚ×２０４８)＝３．２５５２×１０−８(約３３ｎｓ)で表示される。スロットは時間領域において複数のＯＦＤＭシンボルを含み、周波数領域において複数のリソースブロック(Ｒｅｓｏｕｒｃｅ Ｂｌｏｃｋ；ＲＢ)を含む。ＬＴＥシステムにおいて１つのリソースブロックは１２個の副搬送波×７(６)個のＯＦＤＭシンボルを含む。データの送信される単位時間であるＴＴＩ(Ｔｒａｎｓｍｉｓｓｉｏｎ Ｔｉｍｅ Ｉｎｔｅｒｖａｌ)は１つ以上のサブフレーム単位に定めることができる。上述した無線フレームの構造は例示に過ぎず、無線フレームに含まれるサブフレームの数、サブフレームに含まれるスロットの数、又はスロットに含まれるＯＦＤＭシンボルの数は様々に変更されてもよい。
【００４５】
図５は、下りリンク無線フレームにおいて１つのサブフレームの制御領域に含まれる制御チャネルを例示する図である。
【００４６】
図５を参照すると、サブフレームは１４個のＯＦＤＭシンボルで構成されている。サブフレーム設定によって先頭の１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する基準信号(Ｒｅｆｅｒｅｎｃｅ Ｓｉｇｎａｌ(ＲＳ)又はＰｉｌｏｔ Ｓｉｇｎａｌ)を表す。ＲＳは、制御領域及びデータ領域を問わず、サブフレーム内に一定のパターンで固定される。制御チャネルは、制御領域においてＲＳの割り当てられていないリソースに割り当てられ、トラフィックチャネルもデータ領域においてＲＳの割り当てられていないリソースに割り当てられる。制御領域に割り当てられる制御チャネルには、ＰＣＦＩＣＨ(Ｐｈｙｓｉｃａｌ Ｃｏｎｔｒｏｌ Ｆｏｒｍａｔ Ｉｎｄｉｃａｔｏｒ ＣＨａｎｎｅｌ)、ＰＨＩＣＨ(Ｐｈｙｓｉｃａｌ Ｈｙｂｒｉｄ−ＡＲＱ Ｉｎｄｉｃａｔｏｒ ＣＨａｎｎｅｌ)、ＰＤＣＣＨ(Ｐｈｙｓｉｃａｌ Ｄｏｗｎｌｉｎｋ Ｃｏｎｔｒｏｌ ＣＨａｎｎｅｌ)などがある。
【００４７】
ＰＣＦＩＣＨは物理制御フォーマット指示子チャネルで、毎サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは４個のＲＥＧ(Ｒｅｓｏｕｒｃｅ Ｅｌｅｍｅｎｔ Ｇｒｏｕｐ)で構成され、それぞれのＲＥＧはセルＩＤ(Ｃｅｌｌ ＩＤｅｎｔｉｔｙ)に基づいて制御領域内に分散される。１つのＲＥＧは４個のＲＥ(Ｒｅｓｏｕｒｃｅ Ｅｌｅｍｅｎｔ)で構成される。ＲＥは、１副搬送波×１ＯＦＤＭシンボルと定義される最小物理リソースを表す。ＰＣＦＩＣＨ値は帯域幅によって１〜３又は２〜４の値を指示し、ＱＰＳＫ(Ｑｕａｄｒａｔｕｒｅ Ｐｈａｓｅ Ｓｈｉｆｔ Ｋｅｙｉｎｇ)で変調される。
【００４８】
ＰＨＩＣＨは、物理ＨＡＲＱ(Ｈｙｂｒｉｄ−Ａｕｔｏｍａｔｉｃ Ｒｅｐｅａｔ ａｎｄ ｒｅｑｕｅｓｔ)指示子チャネルで、上りリンク送信に対するＨＡＲＱ ＡＣＫ／ＮＡＣＫを運ぶために用いられる。即ち、ＰＨＩＣＨは、ＵＬ ＨＡＲＱのためのＤＬ ＡＣＫ／ＮＡＣＫ情報が送信されるチャネルを表す。ＰＨＩＣＨは、１個のＲＥＧで構成され、セル特定(ｃｅｌｌ−ｓｐｅｃｉｆｉｃ)にスクランブル(ｓｃｒａｍｂｌｉｎｇ)される。ＡＣＫ／ＮＡＣＫは１ビットで指示され、ＢＰＳＫ(Ｂｉｎａｒｙ ｐｈａｓｅ ｓｈｉｆｔ ｋｅｙｉｎｇ)で変調される。変調されたＡＣＫ／ＮＡＣＫは拡散因子(Ｓｐｒｅａｄｉｎｇ Ｆａｃｔｏｒ；ＳＦ)＝２又は４で拡散される。同一のリソースにマッピングされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ(グループ)は周波数領域及び／又は時間領域においてダイバーシティ得を得るために３回繰り返し(ｒｅｐｅｔｉｔｉｏｎ)される。
【００４９】
ＰＤＣＣＨは物理下りリンク制御チャネルで、サブフレームにおける先頭のｎ個のＯＦＤＭシンボルに割り当てられる。ここで、ｎは１以上の整数で、ＰＣＦＩＣＨによって指示される。ＰＤＣＣＨは１つ以上のＣＣＥで構成される。ＰＤＣＣＨは、送信チャネルであるＰＣＨ(Ｐａｇｉｎｇ ｃｈａｎｎｅｌ)及びＤＬ−ＳＣＨ(Ｄｏｗｎｌｉｎｋ−ｓｈａｒｅｄ ｃｈａｎｎｅｌ)のリソース割り当てに関する情報、上りリンクスケジューリンググラント(Ｕｐｌｉｎｋ Ｓｃｈｅｄｕｌｉｎｇ Ｇｒａｎｔ)、ＨＡＲＱ情報などを各端末又は端末グループに知らせる。ＰＣＨ(Ｐａｇｉｎｇ ｃｈａｎｎｅｌ)及びＤＬ−ＳＣＨ(Ｄｏｗｎｌｉｎｋ−ｓｈａｒｅｄ ｃｈａｎｎｅｌ)はＰＤＳＣＨを介して送信される。従って、基地局と端末は一般に、特定の制御情報又は特定のサービスデータ以外は、ＰＤＳＣＨを介してデータをそれぞれ送信及び受信する。
【００５０】
ＰＤＳＣＨのデータがいずれの端末(１つ又は複数の端末)に送信されるものか、これら端末がどのようにＰＤＳＣＨデータを受信してデコードしなければならないかに関する情報などは、ＰＤＣＣＨに含まれて送信される。例えば、特定ＰＤＣＣＨが「Ａ」というＲＮＴＩ(Ｒａｄｉｏ Ｎｅｔｗｏｒｋ Ｔｅｍｐｏｒａｒｙ Ｉｄｅｎｔｉｔｙ)でＣＲＣマスクされており、「Ｂ」という無線リソース(例えば、周波数位置)及び「Ｃ」というＤＣＩフォーマット、即ち、送信形式情報(例えば、送信ブロックサイズ、変調方式、コーディング情報など)を用いて送信されるデータに関する情報が、特定サブフレームで送信されると仮定する。この場合、セル内の端末は、自身が持っているＲＮＴＩ情報を用いて検索領域でＰＤＣＣＨをモニタリング、即ち、ブラインドデコードし、「Ａ」のＲＮＴＩを持っている１つ以上の端末があると、これらの端末はＰＤＣＣＨを受信し、受信したＰＤＣＣＨの情報に基づいて「Ｂ」と「Ｃ」によって指示されるＰＤＳＣＨを受信する。
【００５１】
図６はＬＴＥシステムにおいて下りリンク制御チャネルを構成する時に使用されるリソース単位を示す。特に、図６の(ａ)は基地局の送信アンテナの数が１又は２である場合を示し、図６の(ｂ)は基地局の送信アンテナの数が４である場合を示す。送信アンテナの数によってＲＳ(Ｒｅｆｅｒｅｎｃｅ Ｓｉｇｎａｌ)パターンが異なるだけであり、制御チャネルに関連するリソース単位の設定方法は同一である。
【００５２】
図６を参照すると、下りリンク制御チャネルの基本リソース単位はＲＥＧ(Ｒｅｓｏｕｒｃｅ Ｅｌｅｍｅｎｔ Ｇｒｏｕｐ)である。ＲＥＧはＲＳを除いた状態で４つの隣接するリソース要素(ＲＥ)で構成される。図においてＲＥＧは太い線で表示している。ＰＣＦＩＣＨ及びＰＨＩＣＨは各々４個のＲＥＧ及び３個のＲＥＧを含む。ＰＤＣＣＨはＣＣＥ(ｃｏｎｔｒｏｌ Ｃｈａｎｎｅｌ Ｅｌｅｍｅｎｔｓ)単位で構成され、１つのＣＣＥは９個のＲＥＧを含む。
【００５３】
端末は自分にＬ個のＣＣＥからなるＰＤＣＣＨが送信されるか否かを確認するために、
2021519026.tif 000003
個の連続した又は特定の規則に配置されたＣＣＥを確認するように設定される。端末がＰＤＣＣＨ受信のために考えるＬ値は複数である。端末がＰＤＣＣＨ受信のために確認するＣＣＥ集合を検索領域(Ｓｅａｒｃｈ ｓｐａｃｅ)という。一例として、ＬＴＥシステムでは検索領域を表１のように定義している。
【００５４】
【表１】
2021519026.tif 000004
【００５５】
ここで、ＣＣＥ集成レベルＬはＰＤＣＣＨを構成するＣＣＥ数を示し、
2021519026.tif 000005
はＣＣＥ集成レベルＬの検索領域を示し、
2021519026.tif 000006
は集成レベルＬの検索領域でモニタリングするＰＤＣＣＨ候補の数である。
【００５６】
検索領域は、特定の端末のみに対して接近が許容される端末特定検索領域(ＵＥ−ｓｐｅｃｉｆｉｃ ｓｅａｒｃｈ ｓｐａｃｅ)と、セル内の全ての端末に対して接近が許容される共通検索領域(ｃｏｍｍｏｎ ｓｅａｒｃｈ ｓｐａｃｅ)とに区分される。端末はＣＣＥ集成レベルが４及び８である共通検索領域をモニタし、ＣＣＥ集成レベルが１、２、４及び８である端末特定検索領域をモニタする。共通検索領域及び端末特定検索領域はオーバーラップすることができる。
【００５７】
また各ＣＣＥ集成レベル値に対して任意の端末に与えられるＰＤＣＣＨ検索領域における１番目(最小インデックスを有する)のＣＣＥの位置は、端末によって毎サブフレームごとに変化する。これをＰＤＣＣＨ検索領域ハッシング(ｈａｓｈｉｎｇ)という。
【００５８】
ＣＣＥはシステム帯域に分散できる。より具体的には、論理的に連続する複数のＣＣＥがインターリーバ(ｉｎｔｅｒｌｅａｖｅｒ)に入力され、インターリーバは入力された複数のＣＣＥをＲＥＧ単位で取り混ぜる機能を行う。従って、１つのＣＣＥを構成する周波数／時間リソースは物理的にサブフレームの制御領域内で全体周波数／時間領域に散らばって分布する。結局、制御チャネルはＣＣＥ単位で構成されるが、インターリービングはＲＥＧ単位で行われることにより、周波数ダイバーシティ(ｄｉｖｅｒｓｉｔｙ)と干渉ランダム化(ｉｎｔｅｒｆｅｒｅｎｃｅ ｒａｎｄｏｍｉｚａｔｉｏｎ)の利得を最大化することができる。
【００５９】
図７は、ＬＴＥシステムで用いられる上りリンクサブフレームの構造を示す図である。
【００６０】
図７を参照すると、上りリンクサブフレームは、制御情報を運ぶＰＵＣＣＨ(Ｐｈｙｓｉｃａｌ Ｕｐｌｉｎｋ Ｃｏｎｔｒｏｌ ＣＨａｎｎｅｌ)が割り当てられる領域と、ユーザデータを運ぶＰＵＳＣＨ(Ｐｈｙｓｉｃａｌ Ｕｐｌｉｎｋ Ｓｈａｒｅｄ ＣＨａｎｎｅｌ)が割り当てられる領域とに区別される。サブフレームにおいて中間部分がＰＵＳＣＨに割り当てられ、周波数領域においてデータ領域の両側部分がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ(Ｃｈａｎｎｅｌ Ｑｕａｌｉｔｙ Ｉｎｄｉｃａｔｏｒ)、ＭＩＭＯのためのＲＩ(Ｒａｎｋ Ｉｎｄｉｃａｔｏｒ)、上りリンクリソース割り当て要請であるＳＲ(Ｓｃｈｅｄｕｌｉｎｇ Ｒｅｑｕｅｓｔ)などがある。１つの端末に対するＰＵＣＣＨは、サブフレーム内の各スロットで互いに異なる周波数を占める１つのリソースブロックを使用する。即ち、ＰＵＣＣＨに割り当てられる２個のリソースブロックはスロット境界で周波数ホッピング(ｆｒｅｑｕｅｎｃｙ ｈｏｐｐｉｎｇ)する。特に、図６は、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられるとしている。
【００６１】
図８はＭＢＳＦＮ(Ｍｕｌｔｉｍｅｄｉａ Ｂｒｏａｄｃａｓｔ Ｓｉｎｇｌｅ Ｆｒｅｑｕｅｎｃｙ Ｎｅｔｗｏｒｋ)サブフレームの構造を説明する概念図である。
【００６２】
図８の上側を参照すると、１つのフレームに含まれる１０個のサブフレームは、一般的なデータの送信及び受信のために使用される一般サブフレーム(ｎｏｎ−ＭＢＳＦＮサブフレーム)と、ブロードキャスト又はマルチキャストのために使用されるＭＢＳＦＮサブフレームとを含む。一般サブフレーム(ｎｏｎ−ＭＢＳＦＮサブフレーム)とＭＢＳＦＮサブフレームは、ＯＦＤＭシンボル数、ＣＰの長さ、ＣＲＳの構造及び数において差があり得る。既存のＬＴＥ−Ｒｅ１８、ＬＴＥ−Ｒｅ１９のシステムでは、ＭＢＳＦＮサブフレームがブロードキャスト又はマルチキャストのデータ送信などの目的のみに使用された。
【００６３】
しかし、ＬＴＥ−Ｒｅｌｌ０からはＭＢＳＦＮサブフレームがブロードキャスト又はマルチキャストの目的だけではなく、特定の端末に対するデータ送信であるユニキャストのためにも使用される。
【００６４】
図８の下側を参照すると、ＭＢＳＦＮサブフレームはＰＭＣＨ(ｐｈｙｓｉｃａｌ ｍｕｌｔｉｃａｓｔ ｃｈａｎｎｅｌ)を送信するためのサブフレームであり、最初２個のＯＦＤＭシンボルで構成されたＰＤＣＣＨ領域以外の残りの領域では、ＣＲＳが送信されないことができるサブフレームを指示することができる。この時、ＰＤＣＣＨ領域は１つのＯＦＤＭシンボルであることもできる。ＭＢＳＦＮサブフレームの受信が設定されていない端末は、ＭＢＳＦＮサブフレームに含まれたＰＤＣＣＨ領域以外の残りの領域については、下りリンクデータを受信しないことができる。ＭＢＳＦＮ設定情報はＭＢＳＦＮサブフレームを設定する情報であり、上位階層信号により送信される。例えば、基地局はＰＤＳＣＨを介して送信されるＳＩＢ−２によりＭＢＳＦＮ設定情報を送信することができる。ＭＢＳＦＮ設定情報にはＭＢＳＦＮサブフレームを指示するビットマップと無線フレーム割り当て周期、無線フレーム割り当てオフセット、サブフレーム割り当てなどの情報を含む。
【００６５】
以下、本発明による下りリンクデータチャネルの送受信方法について本格的に説明する。
【００６６】
次世代通信システムでは、情報送受信時に非常に短い遅延時間(ｌａｔｅｎｃｙ)及び非常に高い信頼度(ｒｅｌｉａｂｉｌｉｔｙ)を達成するために様々な方法を考慮している。即ち、様々な遅延時間及び／又は信頼性を要求するターゲットＱｏＳ要求事項を設定し、各ターゲットＱｏＳ要求事項によって動作が変化するように設定することにより、該当ターゲットＱｏＳ要求事項に対応するサービスを効率的に提供している。
【００６７】
本発明では、セルラー通信システムにおいて、基地局が端末により高い信頼性と低い遅延時間のために下りリンクデータを繰り返し送信する方法を提案する。特に、下りリンクデータの繰り返し送信が互いに異なるタイプのサブフレームにわたってスケジュールされた場合の下りリンクデータの繰り返し送信方法について提案する。
【００６８】
本発明における発明事項及び／又は実施例は１つの提案方式であると思われるが、各発明事項及び／又は実施例の間の組み合わせも新しい方式として判断できる。また特定の発明事項は本発明で提示する実施例に限られず、特定のシステムにも限られない。即ち、特定の発明事項が本発明で提示する実施例から通常の技術者が容易に類推できる範囲内で拡張され、本発明の実施例が適用可能な通信システムであれば、ＬＴＥ、ＬＴＥ−Ａ、ＬＴＥ−Ｐｒｏ、ＮＲ、ＩＥＥＥなどの様々な通信システムにも適用可能である。
【００６９】
本発明の全てのパラメータ、動作、各パラメータ及び／又は動作の間の組み合わせ、該当パラメータ及び／又は動作の適用有無及び/又は各パラメータ及び／又は動作の間の組み合わせの適用有無などは、基地局が端末に上位階層シグナリング及び／又は物理階層シグナリングにより指示するか、又は予めシステムに定義することができる。
【００７０】
本発明において異なるサブフレームタイプに関する内容は、異なる送信モード(ｔｒａｎｓｍｉｓｓｉｏｎ ｍｏｄｅ；ＴＭ)についてもそのまま適用することができる。例えば、同一のサブフレームタイプに設定された２サブフレームの間に送信モードが変更されて相異になる場合にもそのまま適用できる。本発明で説明するＴＴＩ(Ｔｒａｎｓｍｉｓｓｉｏｎ Ｔｉｍｅ Ｉｎｔｅｒｖａｌ)は、サブスロット／スロット／サブフレームなどの様々なＴＴＩ長さ単位に対応できることが明らかである。
【００７１】
ここで、サブスロット及びスロットは短いＴＴＩ(Ｓｈｏｒｔ ＴＴＩ)と呼ばれる。即ち、短いＴＴＩはサブスロット及びスロットを含む。短いＴＴＩは１ｍｓの長さを有するＤＬ−ＳＣＨ(Ｄｏｗｎｌｉｎｋ Ｓｈａｒｅｄ Ｃｈａｎｎｅｌ)及びＵＬ−ＳＣＨ(Ｕｐｌｉｎｋ Ｓｈａｒｅｄ Ｃｈａｎｎｅｌ)より短い長さに定義され、短いＴＴＩを支援するための制御チャネルはＳＰＤＣＣＨ(Ｓｈｏｒｔ ＰＤＣＣＨ)及びＳＰＵＣＣＨ(Ｓｈｏｒｔ ＰＵＣＣＨ)も１ｍｓより短い持続時間で送信される。この時、スロットは０.５ｍｓ区間を有し、よって７個のシンボルで構成できる。なお、サブスロットは２個又は３個のシンボルで構成できる。
【００７２】
ＴＤＤシステムの場合、スロット単位で短いＴＴＩ基盤の送信が行われ、ＦＤＤシステムの場合には、スロット及び／又はサブスロット単位の短いＴＴＩ基盤の送信が行われる。
【００７３】
この時、１つのサブフレームは６個のサブスロットで構成され、ＰＤＣＣＨのために使用されるシンボル数によってサブスロットが配置されるパターンが変わる。具体的には、ＰＤＣＣＨのために使用されるシンボル数が１又は３である場合、図９(ａ)のように０番目のサブスロットと５番目のサブスロットが３シンボルで構成され、残りのサブスロットは２シンボルで構成される。
【００７４】
反面、ＰＤＣＣＨのために使用されるシンボル数が２である場合は、図９(ｂ)のように１番目のサブスロットと５番目のサブスロットが３シンボルで構成され、残りのサブスロットは２シンボルで構成される。
【００７５】
下りリンク送信の信頼性を高めるために、データを繰り返して送信することができる。例えば、図１０(ａ)のように、制御チャネルと該制御チャネルがスケジュールするデータチャネルを毎ＴＴＩごとに独立して送信し、各制御チャネルでＨＡＲＱプロセッサ番号(ＨＡＲＱ Ｐｒｏｃｅｓｓ ｎｕｍｂｅｒ)、ＮＤＩ(Ｎｅｗ Ｄａｔａ Ｉｎｄｉｃａｔｏｒ)などを活用して複数のＴＴＩで送信されるデータチャネルが同じ送信ブロック(Ｔｒａｎｓｍｉｓｓｉｏｎ Ｂｌｏｃｋ；ＴＢ)を送信することを端末に知らせ、同じデータを複数のＴＴＩの間に繰り返し送信することができる。
【００７６】
一方、図１０(ａ)よりも制御チャネルのオーバーヘッド(ｏｖｅｒｈｅａｄ)を減らすために、図１０(ｂ)のように単一のＴＴＩで送信される制御チャネルが多数のＴＴＩで繰り返し送信されるデータをスケジュールすることができる。即ち、単一のＴＴＩで送信される制御チャネルが多数のＴＴＩに対するデータスケジューリングを行うことができる。
【００７７】
このように制御チャネルは複数のＴＴＩで送信され、この時、制御チャネルが送信されるＴＴＩの数はデータチャネルが送信されるＴＴＩの数より少ない。また多数のＴＴＩで繰り返し送信されるデータをスケジュールするＤＣＩ(Ｄｏｗｎｌｉｎｋ Ｃｏｎｔｒｏｌ Ｉｎｆｏｒｍａｔｉｏｎ)内のＭＣＳ(Ｍｏｄｕｌａｔｉｏｎ Ｃｏｄｉｎｇ Ｓｃｈｅｍｅ)／ＲＡ(Ｒｅｓｏｕｒｃｅ Ａｌｌｏｃａｔｉｏｎ)などの情報は、データが繰り返し送信される全てのＴＴＩに同様に適用される。またＤＣＩはデータが繰り返し送信される回数情報を含む。
【００７８】
ＬＴＥ ｓＴＴＩ(Ｓｈｏｒｔ ＴＴＩ)システムの場合、サブフレームのタイプごとに互いに異なる送信モードが設定される。具体的には、ＭＢＳＦＮサブフレームとｎｏｎ−ＭＢＳＦＮサブフレームの間に互いに異なる送信モードが設定され、例えば、Ｎｏｎ−ＭＢＳＦＮサブフレームの場合は、送信モード４が設定され、ＭＢＳＦＮサブフレームの場合には、送信モード９が設定される。この時、特定のサブフレームタイプに設定されたサブフレームに含まれたＴＴＩ(即ち、ｓＴＴＩ)は、該当サブフレームのタイプに対応して設定された送信モードに基づいて動作する。
【００７９】
上述したように、特定のＴＴＩで送信されるＤＣＩにより該当ＴＴＩを含む複数のＴＴＩで繰り返し送信されるデータをスケジュールする場合、該当ＤＣＩによりデータが繰り返し送信される回数ｋに関する情報を送信することができる。
【００８０】
該当ＤＣＩに対する復号に成功すると、その後に繰り返し送信される残りのｋ−１個の連続する(又は不連続する)ＴＴＩではＤＣＩに対する復号を行わないか又は復号を行ってＤＣＩが検出されても該当ＤＣＩを廃棄(ｄｉｓｃａｒｄ)するように設定される。この時、復号を行わないか又は廃棄されるＤＣＩは、Ｃ−ＲＮＴＩ基盤のデータスケジューリング関連のＤＣＩ又は下りリンクデータスケジューリング関連のＤＣＩである。また復号に成功したＤＣＩも、Ｃ−ＲＮＴＩ基盤のデータスケジューリング関連のＤＣＩ又は下りリンクデータスケジューリング関連のＤＣＩである。
【００８１】
この場合、復号に成功したＤＣＩがスケジュールするデータの繰り返し送信区間が互いに異なる送信モードが設定された異なるタイプのサブフレーム、例えば、ＭＢＳＦＮサブフレームとｎｏｎ−ＭＢＳＦＮサブフレームの間にわたって送信される場合、復号に成功したＤＣＩが送信されたサブフレームのデータ復号に使用される参照信号(Ｒｅｆｅｒｅｎｃｅ Ｓｉｇｎａｌ；ＲＳ)が、続くデータ繰り返し送信の一部又は全部を含みながら上記復号に成功したＤＣＩが送信されるサブフレームとは異なるタイプを有するサブフレームでは存在しないことができ、この場合、続くデータの繰り返し送信に対する復号に失敗する問題があり得る。
【００８２】
例えば、復号に成功したＤＣＩが送信されたサブフレームがｎｏｎ−ＭＢＳＦＮサブフレームであり、送信モード４が設定されてＣＲＳ(Ｃｏｍｍｏｎ Ｒｅｆｅｒｅｎｃｅ Ｓｉｇｎａｌ)を使用するが、続くデータ繰り返し送信の一部又は全部が含まれたサブフレームがＭＢＳＦＮサブフレームであり、かつ送信モード９が設定されると、ＭＢＳＦＮサブフレームではＣＲＳが存在しないので、ＭＢＳＦＮサブフレームで繰り返し送信されるデータに対する復号に失敗する問題が発生し得る。
【００８３】
一般的に、異なるサブフレームタイプ及び／又は異なるタイプを有するサブフレームに設定された異なる送信モードによって適用される参照信号が相異することができ、異なるタイプのサブフレームに設定された異なる送信モードをスケジュールするＤＣＩフォーマットが異なる場合、ＤＣＩフォーマットのフィールド構成及び／又はフィールド情報が異なるように構成される。
【００８４】
よって、特定のＴＴＩで送信されるＤＣＩにより該当ＴＴＩ及び少なくとも１つの続くＴＴＩを含むＴＴＩで繰り返し送信するデータをスケジュールし、該当ＤＣＩに対する復号に成功して続くＴＴＩでＤＣＩを復号しないか又は廃棄すると、繰り返し送信されるデータが異なるタイプに設定されたサブフレームの間にわたって送信されるにもかかわらず、プリコーディング(ｐｒｅｃｏｄｉｎｇ)／ランク(ｒａｎｋ)情報などのように変更されたサブフレームタイプによって設定された送信モードのために提供される情報を端末が得られず、続くサブフレームで送信される特定の送信ブロック(Ｔｒａｎｓｍｉｓｓｉｏｎ Ｂｌｏｃｋ；ＴＢ)に対する繰り返し送信の一部について正常的に復号できない問題があり得る。
【００８５】
従って、本発明では上記問題を解決するための様々な実施例を提案する。
【００８６】
上記実施例を説明する前に、本発明の実施例による端末及び基地局の全体的な動作過程について説明する。
【００８７】
図１１は本発明の実施例による端末の全体的な動作を説明する図である。図１１を参照すると、端末は各々のサブフレームのタイプを設定するための第１情報及び各々のサブフレームに適用される送信モードを設定するための第２情報を受信する(Ｓ１１０１)。この時、第１情報及び第２情報は上位階層シグナリング及び／又は物理階層シグナリングにより受信できる。その後、端末は特定のＴＴＩ、具体的には特定のｓＴＴＩでデータの繰り返し送信に関連するＤＣＩを復号する(Ｓ１１０３)。この時、ＤＣＩにはデータの繰り返し送信回数、ＤＣＩが含まれたサブフレームに設定されたタイプ及び送信モードのためのＭＣＳ(Ｍｏｄｕｌａｔｉｏｎ Ｃｏｄｉｎｇ Ｓｃｈｅｍｅ)、ＲＡ(Ｒｅｓｏｕｒｃｅ Ａｌｌｏｃａｔｉｏｎ)、プリコーディング(ｐｒｅｃｏｄｉｎｇ)、ランク(ｒａｎｋ)などの情報が含まれる。
【００８８】
ＤＣＩを検出した端末は、ＤＣＩ内に含まれた情報、第１情報及び第２情報に基づいて、互いに異なるタイプ及び／又は互いに異なる送信モードに設定されたサブフレームにわたって繰り返し送信されるデータを受信する(Ｓ１１０５)。
【００８９】
この時、端末が上記検出されたＤＣＩ、第１情報及び第２情報に基づいて繰り返し送信されるデータを受信する具体的な動作方法は以下の実施例に従う。
【００９０】
以下、図１２を参照しながら本発明の実施例による基地局の動作過程について説明する。図１２に示すように、基地局は各々のサブフレームのタイプを設定するための第１情報及び各々のサブフレームに適用される送信モードを設定するための第２情報を送信する(Ｓ１２０１)。この時、第１情報及び第２情報は上位階層シグナリング及び／又は物理階層シグナリングにより送信できる。その後、基地局は特定のＴＴＩ、具体的には特定のｓＴＴＩでデータの繰り返し送信に関連するＤＣＩを端末に送信する(Ｓ１２０３)。この時、ＤＣＩにはデータの繰り返し送信回数、ＤＣＩが含まれたサブフレームに設定されたタイプ及び送信モードのためのＭＣＳ、ＲＡ、プリコーディング、ランクなどの情報が含まれる。
【００９１】
ＤＣＩを送信した基地局は、ＤＣＩ内に含まれた情報、第１情報及び第２情報に基づいて互いに異なるタイプ及び／又は互いに異なる送信モードに設定されたサブフレームにわたってデータを繰り返し送信する(Ｓ１２０５)。
【００９２】
この時、基地局が上記送信されたＤＣＩ、第１情報及び第２情報に基づいてデータを互いに異なるタイプ及び／又は互いに異なる送信モードに設定されたサブフレームにわたって繰り返し送信する具体的な動作方法は以下の実施例に従う。
【００９３】
図１３を参照して、全体ネットワークの観点で端末と基地局の動作過程について説明すると、基地局は各々のサブフレームのタイプを設定するための第１情報及び各々のサブフレームに適用される送信モードを設定するための第２情報を端末に上位階層シグナリング及び／又は物理階層シグナリングにより送信する(Ｓ１３０１)。その後、基地局は特定のＴＴＩ、具体的には特定のｓＴＴＩでデータの繰り返し送信に関連するＤＣＩを端末に送信する(Ｓ１３０３)。この時、ＤＣＩにはデータの繰り返し送信回数、ＤＣＩが含まれたサブフレームに設定されたタイプ及び送信モードのためのＭＣＳ、ＲＡ、プリコーディング、ランクなどの情報が含まれる。
【００９４】
ＤＣＩを送信した基地局は、ＤＣＩ内に含まれた情報、第１情報及び第２情報に基づいて互いに異なるタイプ及び／又は互いに異なる送信モードに設定されたサブフレームにわたってデータを繰り返し送信し、端末はＤＣＩ、第１情報及び第２情報に基づいて繰り返し送信されるデータを受信する(Ｓ１３０５)。
【００９５】
この時、基地局がＤＣＩ、第１情報及び第２情報に基づいてデータを互いに異なるタイプ及び／又は互いに異なる送信モードに設定されたサブフレームにわたって繰り返し送信し、端末がそれを受信する具体的な動作方法は以下の実施例に従う。
【００９６】
以下、端末及び基地局の動作を行うための具体的な実施例について説明する。
【００９７】
説明の便利のために、図１４に示すように、本発明の実施例は端末が繰り返し送信回数４を示すＤＣＩをＴＴＩ♯ｎで復号し、データが繰り返し送信されるＴＴＩ♯ｎとＴＴＩ♯ｎ＋１はタイプＡ(及び/又は送信モードＡ)のサブフレームに含まれ、ＴＴＩ♯ｎ＋２とＴＴＩ♯ｎ＋３はタイプＢ(及び/又は送信モードＢ)のサブフレームに含まれると仮定する。より具体的には、タイプＡのサブフレームはＭＢＳＦＮサブフレームであり、送信モードＡは送信モード９である。またタイプＢのサブフレームはｎｏｎ−ＭＢＳＦＮサブフレームであり、送信モードＢは送信モード４である。
【００９８】
但し、上述したように、かかる仮定は本発明の理解を助けるためのものであり、本発明の実施例及び／又は提案方式は図１４に仮定した例示の状況に限られない。即ち、データの繰り返し送信回数及び／又は繰り返し送信されるＴＴＩ(又は繰り返し送信されるデータ)が含まれるサブフレームのタイプ及び／又は送信モードの構成が異なる場合の全てに拡張して適用できる。
【００９９】
図１４に仮定した状況を考慮して、本発明で提案する実施例について説明する。
【０１００】
まず図１４において、基地局はＴＴＩ♯ｎ＋２でタイプＢのサブフレームに設定された送信モードのためのＤＣＩをさらに送信し、端末はさらに送信されるＤＣＩに対する復号を行うことができる。これは、繰り返し送信されるデータをスケジュールする特定のＴＴＩで送信されたＤＣＩの復号に成功した場合、続くＴＴＩで送信されるＤＣＩ(例えば、Ｃ−ＲＮＴＩ基盤のデータスケジューリング関連のＤＣＩ)に対する復号を行わないか又は復号を行ってＤＣＩが検出されても該当ＤＣＩを廃棄することを適用せず、例外とすることができる。
【０１０１】
ここで、ＴＴＩ♯ｎ＋２で復号したＤＣＩに含まれたプリコーディング／ランクなどのスケジューリング情報がＴＴＩ♯ｎ＋２及びＴＴＩ♯ｎ＋３のデータ送信に同一に適用されることができる。より一般的には、端末は復号に成功したＤＣＩの指示によって該当ＤＣＩがスケジュールする繰り返し送信されるデータが含まれた多数のＴＴＩが互いに異なるサブフレームに含まれ、該当サブフレームの間のタイプが変更されるなどにより互いに異なるサブフレームの間の送信モードが変更される場合、送信モード及び／又はタイプが変更された続くサブフレームに含まれたＴＴＩでさらにＤＣＩに対する復号を検出し、該当ＤＣＩが指示する動作の通りに送信モード及び／又はタイプが変更されたサブフレームに含まれたＤＣＩが検出されたＴＴＩを始めとする続くＴＴＩで送信される繰り返し送信データの復号を行うことができる。ここで、続くサブフレームでＤＣＩの復号を行うＴＴＩは、続くサブフレームの１番目のＴＴＩである。
【０１０２】
一方、一部の送信モードの組み合わせの間には、データが繰り返し送信される間に該当組み合わせによって送信モードが変更されても、続くサブフレームに含まれたＴＴＩでＤＣＩに対する復号を行わないことができる。例えば、続くサブフレームの１番目のＴＴＩでＤＣＩを復号する動作を省略することができる。
【０１０３】
かかる動作の有無はシステムに予め定義されるか、又は基地局が端末に上位階層シグナリング及び／又は物理階層シグナリングにより知らせることができる。
【０１０４】
この動作は、繰り返し送信されるデータに対して繰り返し送信される区間内で２つのＤＣＩが互いに異なる送信モード及び／又は互いに異なるタイプに設定された２つの各々のサブフレームで送信される形態で動作できるが、この場合、１番目のＤＣＩが指示するデータ繰り返し送信回数に対応する１つ以上のＴＴＩが、２番目のＤＣＩが指示するデータ繰り返し回数に対応する１つ以上のＴＴＩを含むように指示できる。
【０１０５】
例えば、ＴＴＩ♯ｎで送信されたＤＣＩがデータ繰り返し送信回数ｋを指示すると、ＴＴＩ♯ｎからＴＴＩ♯ｎ＋(ｋ−１)にわたってデータが繰り返し送信されるが、もしＴＴＩ♯ｎ＋ｐ(但し、ｐ＜ｋ−１)から前側のＴＴＩとは異なる送信モード及び／又は異なるタイプに設定されたサブフレームに含まれると、ＴＴＩ♯ｎ＋ｐでＤＣＩが送信され、端末がそれを復号するように動作する。
【０１０６】
この時、ＴＴＩ♯ｎ＋ｐで送信されたＤＣＩにより指示されるデータ繰り返し送信回数の場合、ｋ−ｐより小さいか又は同じ値が指示される。又はＴＴＩ♯ｎ＋ｐで送信されたＤＣＩにより指示されるデータ繰り返し送信回数をｋ−ｐ値と仮定し、ＤＣＩ内でデータ繰り返し送信回数を指示するためのフィールドには、予め定義されるか又は基地局が端末に上位階層シグナリング及び／又は物理階層シグナリングにより指示された特定の値を送信して、それを仮想ＣＲＣ(ｖｉｒｔｕａｌ Ｃｙｃｌｉｃ Ｒｅｄｕｎｄａｎｃｙ Ｃｈｅｃｋ)として活用することができる。
【０１０７】
基地局が、送信モード及び／又はサブフレームのタイプが変更されるサブフレームの境界又は送信モード及び／又はサブフレームのタイプが同一であるサブフレームの境界を考慮して、データ繰り返し回数を指示することができる。この時、送信モード及び／又はサブフレームのタイプが変更されるサブフレームの境界、又は送信モード及び／又はサブフレームのタイプが同一であるサブフレームの境界にわたって繰り返し送信されるデータの結合有無は、システムに予め定義されるか又は基地局が端末に上位階層シグナリング及び／又は物理階層シグナリングにより知らせることができる。
【０１０８】
例えば、ＴＴＩ♯ｎの時点に４回のデータ繰り返し送信を指示する必要があるが、ＴＴＩ♯ｎ＋２からサブフレームのタイプ及び／又は送信モードが変更される場合は、基地局はＴＴＩ♯ｎの時点に送信されるＤＣＩによりデータ繰り返し送信回数２を指示し、ＴＴＩ♯ｎ＋２の時点に送信されるＤＣＩにより先に送信されたＤＣＩと同一のＨＡＲＱ Ｐｒｏｃｅｓｓ ＩＤ及び／又はｎｏｎ−ｔｏｇｇｌｅｄ ＮＤＩと共にデータ繰り返し送信回数２を指示することができる。この時、２つのサブフレームにわたって繰り返し送信されたデータについて結合を行うように指示した場合、又は結合するように予め定義された場合、端末は各々のタイプ及び／又は送信モードについて各々２回ずつ繰り返し送信された総４回のデータ繰り返し送信全体に対して結合を行い、該当データに対するＨＡＲＱ−ＡＣＫはサブフレーム境界にわたったデータ繰り返し送信を全部受信した時点を基準として送信することができる。
【０１０９】
また基地局がタイプＢのサブフレームのＴＴＩ♯ｎ＋２、♯ｎ＋３上のデータ繰り返し送信に適用されるプリコーディング／ランクなどのスケジューリング情報を予めシステムに定義するか又は基地局が端末に上位階層シグナリング及び／又は物理階層シグナリングに知らせることができる。この場合、上記のようなＴＴＩ♯ｎ＋２でのさらなるＤＣＩ送信は不要である。例えば、ＣＲＳ基盤の送信モード及び／又はｎｏｎ−ＭＢＳＦＮサブフレームからＤＭＲＳ基盤の送信モード及び／又はＭＢＳＦＮサブフレームに変更される場合、スクランブルＩＤ、レイヤ数、アンテナポート、ＰＱＩ(ＰＤＳＣＨ Ｒａｔｅ Ｍａｔｃｈｉｎｇ ａｎｄ ＱｕａｓｉＣｏＬｏｃａｔｉｏｎ Ｉｎｄｉｃａｔｏｒ)情報などが必要であるが、このための初期状態(ｄｅｆａｕｌｔ ｓｔａｔｅ)又は設定は、システムに予め定義されるか、上位階層シグナリング及び／又は物理階層シグナリングにより基地局が端末に知らせるか、又は最近のＤＭＲＳ基盤の送信モード及び／又はＭＢＳＦＮサブフレームスケジューリンク時に受信したＤＣＩの情報を再使用することができる。
【０１１０】
上記と同様に、ＤＭＲＳ基盤の送信モード及び／又はＭＢＳＦＮサブフレームからＣＲＳ基盤の送信モード及び／又はｎｏｎ−ＭＢＳＦＮサブフレームに変更される場合は、プリコーディング情報が必要である。従って、このための初期状態を予め定義するか又は上位階層シグナリング及び／又は物理階層シグナリングにより基地局が端末に知らせること以外にも、最近ＣＲＳ基盤の送信モード及び／又はｎｏｎ−ＭＢＳＦＮサブフレームのスケジューリング時に受信したＤＣＩ情報を再使用することができる。
【０１１１】
一方、特定の送信ブロックに対する繰り返し送信は、同じタイプに設定されたサブフレーム内、又は単一のサブフレーム内に限定して行うことができる。
【０１１２】
例えば、データ繰り返し送信が行われるＴＴＩ♯ｎ、♯ｎ＋１、♯ｎ＋２、♯ｎ＋３は同じタイプのサブフレーム内にのみ位置する。言い換えれば、特定の送信ブロックに対する繰り返し送信は同じタイプを有するサブフレームにわたって送信されることはできるが、異なるタイプのサブフレームにわたっては送信されないようにすることができる。又は特定の送信ブロックに対する繰り返し送信は、単一のサブフレーム内でのみ行われることができる。例えば、端末はサブフレーム内の最後のＴＴＩで送信されるＤＣＩがデータ繰り返し送信回数を１を超えて指示して送信されることを期待しないことができる。
【０１１３】
又は基地局が端末にサブフレーム境界(Ｓｕｂｆｒａｍｅ ｂｏｕｎｄａｒｙ)にわたって特定の送信ブロックに対する繰り返し送信を設定するためには、該当サブフレーム境界前後のサブフレームに対して同一の送信モード及び／又は同一のタイプを設定することができる。これを端末の観点から見ると、データの繰り返し送信が設定又は指示された場合、データ繰り返し送信が行われる各々のサブフレームの送信モード及び／又はサブフレームのためのタイプが異なるように設定されず、同一に設定されることを期待できる。
【０１１４】
一方、端末は検出されたＤＣＩに連関する送信モード、即ち、検出されたＤＣＩが送信されたサブフレームに関連する送信モード及び／又はサブフレームのタイプが、データが繰り返し送信される全てのＴＴＩに適用されると仮定できる。言い換えれば、端末はデータ繰り返し送信がサブフレームの間にわたって指示される場合、該当データ繰り返し送信に該当する全てのＴＴＩで同一の送信モード及び／又は同一のサブフレームタイプに基づいてデータが送信されると仮定できる。又はＤＣＩにより設定されたデータの繰り返し送信回数によってデータの繰り返し送信が送信モード及び／又はサブフレームのタイプが変更されるサブフレーム境界を超える場合は、該当データ繰り返し送信は前側のサブフレームまで送信され、後側のサブフレームにはデータの繰り返し送信が中止される。言い換えれば、設定されたデータ繰り返し送信区間が送信モード及び／又はサブフレームのタイプが変更されるサブフレーム境界を超える場合、続くサブフレームで送信されるデータはドロップ(ｄｒｏｐ)されると解釈できる。
【０１１５】
この場合、端末は繰り返し送信回数が残っていても続くサブフフレームではデータが受信されないと期待するので、続くサブフレームではデータの復号動作を行わず、繰り返し送信されるデータを送信モード及び／又はサブフレームのタイプが変更された続くサブフレームで復号するための別の情報を受信する必要がなく、繰り返し送信のためのＤＣＩを一度復号すると、残りのＤＣＩは復号しないか又は廃棄する動作の例外動作を定義する必要がない。また続くサブフレームで繰り返し送信されるデータを以前のサブフレームで受信したＤＣＩの情報に基づいて復号して発生し得る曖昧さ(ａｍｂｉｇｕｉｔｙ)もなくなる。
【０１１６】
反面、端末にＤＣＩによりデータの繰り返し送信回数が設定された場合、該当ＤＣＩが送信されるＴＴＩが含まれたサブフレームと送信モード及び／又はサブフレームのタイプが同一のサブフレームに含まれたＴＴＩのみについて繰り返し回数をカウントする。言い換えれば、サブフレームの設定が連続してｎｏｎ−ＭＢＳＦＮサブフレーム／ＭＢＳＦＮサブフレーム／ｎｏｎ−ＭＢＳＦＮサブフレームのように構成される場合、１番目のｎｏｎ−ＭＢＳＦＮサブフレーム内で設定されたデータ繰り返し送信回数が１番目のｎｏｎ−ＭＢＳＦＮサブフレームを超える場合、ＭＢＳＦＮサブフフレームでは該当データ繰り返し送信回数をカウントせず、続くｎｏｎ−ＭＢＳＦＮサブフレームで該当データの繰り返し送信回数をカウントする。即ち、データの繰り返し送信を指示するＤＣＩが１番目のｎｏｎ−ＭＢＳＦＮサブフレームで検出された場合、ＭＢＳＦＮサブフフレームでは繰り返し送信が指示されたデータが送信されず、続くｎｏｎ−ＭＢＳＦＮサブフレームで該当データの繰り返し送信を再開することができる。
【０１１７】
一方、上述した実施例のうち、どの実施例を適用するかは、基地局が端末に上位階層シグナリング及び／又は物理階層シグナリングにより指示することができる。
【０１１８】
即ち、サブフレームの間に送信モード及び／又はサブフレームのタイプが変更され、データ繰り返し送信が該当サブフレームの間にわたって行われる時、該当データの繰り返し送信動作を中断して残りの繰り返し送信をドロップ(ｄｒｏｐ)するか、或いは同一のサブフレームタイプ及び／又は同一の送信モードを有するサブフレームのみについて繰り返し送信をカウントして、データが繰り返し送信される間に異なるサブフレームのタイプ又は異なる送信モードにより指示されたサブフレームを省略して続く同じタイプのサブフレーム及び／又は同一の送信モードを有するサブフレームでデータの繰り返し送信を再開するかを、基地局が端末に上位階層シグナリング及び／又は物理階層シグナリングにより指示することができる。
【０１１９】
一方、特定の送信ブロックに対する繰り返し送信が行われる時、タイプＡのサブフレームからタイプＢのサブフレームに転換される場合、上記実施例のうちの１つ又は多数の組み合わせが限定的に適用され、タイプＢのサブフレームからタイプＡのサブフレームに転換される場合には、別の規則によって動作する。
【０１２０】
例えば、特定の送信ブロックに対する繰り返し送信中にＭＢＳＦＮサブフレームからｎｏｎ−ＭＢＳＦＮサブフレームに転換される場合、ＭＢＳＦＮサブフレームに設定された送信モード基盤のデータ復号のための参照信号(例えば、ＤＭＲＳ)がｎｏｎ−ＭＢＳＦＮ上のデータの繰り返し送信に例外的に送信されることができる。言い換えれば、ｎｏｎ−ＭＢＳＦＮサブフレームに設定された送信モードに関係なく、ＭＢＳＦＮサブフレームに設定された送信モード関連の参照信号がｎｏｎ−ＭＢＳＦＮサブフレームでさらに送信されると解釈できる。
【０１２１】
一方、かかる動作は、サブフレームの間でサブフレームタイプが変更されても、各サブフレームのタイプに同じ送信モードが設定された場合には適用されず、各サブフレーム又はサブフレームのタイプごとに互いに異なる送信モードが設定された場合に適用できる。
【０１２２】
又は繰り返し送信されるデータ送信中にサブフレームのタイプ及び／又は送信モードが変更されても、前側のサブフレームのタイプ及び／又は送信モードと同じ設定を該当データが繰り返し送信される間に適用することができる。
【０１２３】
例えば、データの繰り返し送信中にＤＭＲＳ基盤の送信モード及び／又はＭＢＳＦＮサブフレームからＣＲＳ基盤の送信モード及び／又はｎｏｎ−ＭＢＳＦＮサブフレームにサブフレームが変更された場合、例外的に繰り返し送信中のＴＴＩに対してＤＭＲＳ基盤の送信モードが維持されるか、又は該当ｎｏｎ−ＭＢＳＦＮサブフレーム全体についてＤＭＲＳ基盤の送信モードが維持されることができる。さらに他の例として、データの繰り返し送信中にＣＲＳ基盤の送信モード及び／又はｎｏｎ−ＭＢＳＦＮサブフレームからＤＭＲＳ基盤の送信モード及び／又はＭＢＳＦＮサブフレームに変更された場合には、それをネットワークスケジューリンクに解決するか、又は繰り返し送信のための送信モードが他のサブフレーム集合のための送信モードとは別途に、準−静的(Ｓｅｍｉ−ｓｔａｔｉｃ)に構成されることができる。
【０１２４】
図１５は、本発明の実施例による無線通信装置の一実施例を示す。
【０１２５】
図１５に示す無線通信装置は、本発明の実施例による端末及び／又は基地局を示す。しかし、図１５の無線通信装置は、本実施例による端末及び／又は基地局に限られず、車両通信システム又は装置、ウェアラブル(ｗｅａｒａｂｌｅ)装置、ラップトップ、スマートホンなどの様々な装置に取り替えられることができる。
【０１２６】
図１５を参照すると、本発明の実施例による端末及び／又は基地局は、デジタル信号プロセッサ(Ｄｉｇｉｔａｌ Ｓｉｇｎａｌ Ｐｒｏｃｅｓｓｏｒ；ＤＳＰ)又はマイクロプロセッサのような少なくとも１つのプロセッサ１０、トランシーバー３５、電力管理モジュール５、アンテナ４０、バッテリー５５、ディスプレー１５、キーパッド２０、メモリ３０、加入者識別モジュール（ＳＩＭ）カード２５、スピーカ４５及びマイクロホン５０などを含む。また端末及び／又は基地局は単一アンテナ又は多重アンテナを含む。一方、トランシーバー３５は、ＲＦモジュール(Ｒａｄｉｏ Ｆｒｅｑｕｅｎｃｙ Ｍｏｄｕｌｅ)とも呼ばれる。
【０１２７】
プロセッサ１０は、図１乃至図１４に説明された機能、手順及び／又は方法を具現するように構成される。図１乃至図１４に説明された実施例のうち少なくとも一部において、プロセッサ１０は、無線インターフェースプロトコルの層(例えば、機能層)のような１つ以上のプロトコルを具現することができる。
【０１２８】
メモリ３０は、プロセッサ１０に接続されてプロセッサ１０の動作に関する情報を記憶する。メモリ３０は、プロセッサ１０の内部又は外部に位置し、有線又は無線通信のような様々な技術によってプロセッサに接続される。
【０１２９】
ユーザはキーパッド２０のボタンを押すことで、又はマイクロホン５０を用いた音声活性化のような様々な技術による様々なタイプの情報(例えば、電話番号のような指示情報)を入力することができる。プロセッサ１０は、ユーザの情報を受信及び／又は処理して、電話番号をダイヤルするなどの適宜な機能を行う。
【０１３０】
また、適宜な機能を行うために、ＳＩＭカード２５又はメモリ３０からデータ(例えば、操作データ)を検索することもできる。プロセッサ１０は、ＧＰＳチップからＧＰＳ情報を受信及び処理して、カーナビゲーション、マップサービスなどのような端末及び／又は基地局の位置情報を得るか又は位置情報に関する機能を行う。またプロセッサ１０は、ユーザの参照及び便宜のために、このような様々なタイプの情報及びデータをディスプレー１５上に表示してもよい。
【０１３１】
トランシーバー３５はプロセッサ１０に接続されて、ＲＦ(Ｒａｄｉｏ Ｆｒｅｑｕｅｎｃｙ)信号のような無線信号を送信及び／又は受信する。この時、プロセッサ１０は、通信を開始して、音声通信データのような様々なタイプの情報又はデータを含む無線信号を送信するように、トランシーバー３５を制御する。トランシーバー３５は、無線信号を受信する受信機及び送信する送信機を含む。アンテナ４０は、無線信号の送信及び受信を容易にする。一部の実施例において、無線信号を受信すると、トランシーバー３５はプロセッサ１０による処理のために、基底帯域周波数に信号フォワードして変換することができる。処理された信号は、可聴又は読み込み可能な情報に変換されるなど、様々な技術によって処理され、この信号はスピーカ４５を介して出力されることができる。
【０１３２】
一部の実施例において、センサ又はプロセッサ１０に接続されてもよい。センサは、速度、加速度、光、振動などを含む様々なタイプの情報が検出できるように構成された１つ以上の検知装置を含む。近接、位置、イメージなどのようにセンサから得られたセンサ情報をプロセッサ１０が受信して処理することで、衝突回避、自律走行などの各種の機能を行うことができる。
【０１３３】
一方、カメラ、ＵＳＢポートなどのような様々な構成要素が端末及び／又は基地局にさらに含まれてもよい。例えば、カメラがプロセッサ１０にさらに接続されてもよく、このカメラは、自律走行、車両安全サービスのような様々なサービスに利用できる。
【０１３４】
このように図１５は端末及び／又は基地局を構成する装置の一実施例に過ぎず、これに限定されるものではない。例えば、キーパッド２０、ＧＰＳ(Ｇｌｏｂａｌ Ｐｏｓｉｔｉｏｎｉｎｇ Ｓｙｓｔｅｍ）チップ、センサ、スピーカ４５及び／又はマイクロホン５０のような一部構成要素は、一部の実施例において端末及び／又は基地局の具現のために除外されてもよい。
【０１３５】
より具体的には、本発明の実施例を具現するために、図１５に示す無線通信装置が本発明の実施例による端末である場合の動作について説明する。無線通信装置が本発明の実施例による端末である場合、プロセッサ１０は各々のサブフレームのタイプを設定するための第１情報及び各々のサブフレームに適用される送信モードを設定するための第２情報を上位階層シグナリング及び／又は物理階層シグナリングにより受信するようにトランシーバー３５を制御する。その後、プロセッサ１０は特定のＴＴＩ、具体的には特定のｓＴＴＩでデータの繰り返し送信に関連するＤＣＩを復号する。この時、ＤＣＩにはデータの繰り返し送信回数、ＤＣＩが含まれたサブフレームに設定されたタイプ及び送信モードのためのＭＣＳ、ＲＡ、プリコーディング、ランクなどの情報が含まれる。
【０１３６】
ＤＣＩを検出したプロセッサ１０は、ＤＣＩ内に含まれた情報、第１情報及び第２情報に基づいて、互いに異なるタイプ及び／又は互いに異なる送信モードに設定されたサブフレームにわたって繰り返し送信されるデータを受信するようにトランシーバー３５を制御する。
【０１３７】
この時、プロセッサ１０が上記検出されたＤＣＩ、第１情報及び第２情報に基づいて、繰り返し送信されるデータを受信する具体的な動作方法は図１乃至図１４に基づく上記実施例に従う。
【０１３８】
また本発明の実施例を具現するために、図１５に示す無線通信装置が本発明の実施例による基地局である場合は、プロセッサ１０は各々のサブフレームのタイプを設定するための第１情報及び各々のサブフレームに適用される送信モードを設定するための第２情報を上位階層シグナリング及び／又は物理階層シグナリングにより送信するようにトランシーバー３５を制御する。その後、プロセッサ１０は特定のＴＴＩ、具体的には特定のｓＴＴＩでデータの繰り返し送信に関連するＤＣＩを端末に送信するようにトランシーバー３５を制御する。この時、ＤＣＩにはデータの繰り返し送信回数、ＤＣＩが含まれたサブフレームに設定されたタイプ及び送信モードのためのＭＣＳ、ＲＡ、プリコーディング、ランクなどの情報が含まれる。
【０１３９】
ＤＣＩを送信するように制御したプロセッサ１０は、ＤＣＩ内に含まれた情報、第１情報及び第２情報に基づいて互いに異なるタイプ及び／又は互いに異なる送信モードに設定されたサブフレームにわたってデータを繰り返し送信するようにトランシーバー３５を制御する。
【０１４０】
この時、基地局が上記送信されたＤＣＩ、第１情報及び第２情報に基づいてデータを互いに異なるタイプ及び／又は互いに異なる送信モードに設定されたサブフレームにわたって繰り返し送信する具体的な動作方法は、図１乃至図１４に基づく上記実施例に従う。
【０１４１】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０１４２】
本文書で基地局によって行われるとした特定動作は、場合によってはその上位ノード(ｕｐｐｅｒ ｏｄｅ)によって行われることもある。すなわち、基地局を含む複数のネットワークノード(ｎｅｔｗｏｒｋ ｎｏｄｅｓ)からなるネットワークにおいて端末との通信のために行われる様々な動作は、基地局又は基地局以外の他のネットワークノードによって行われ得ることは明らかである。基地局は、固定局(ｆｉｘｅｄ ｓｔａｔｉｏｎ)、ＮｏｄｅＢ、ｅＮｏｄｅＢ(ｅＮＢ)、アクセスポイント(ａｃｃｅｓｓ ｐｏｉｎｔ)などの用語にしてもよい。
【０１４３】
本発明に係る実施例は、様々な手段、例えば、ハードウェア、ファームウェア(ｆｉｒｍｗａｒｅ)、ソフトウェア又はそれらの結合などによって具現できる。ハードウェアによる具現では、本発明の一実施例は、１つ又はそれ以上のＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)、プロセッサ、コントローラ、マイクロコントローラ、マイクロプロセッサなどによって具現することができる。
【０１４４】
ファームウェアやソフトウェアによる具現では、本発明の一実施例は、上述した機能又は動作を実行するモジュール、手順、関数などの形態で具現されてもよい。ソフトウェアコードは、メモリユニットに記憶され、プロセッサによって駆動可能である。メモリユニットは、プロセッサの内部又は外部に設けられ、公知の様々な手段によってプロセッサとデータを交換することができる。
【０１４５】
本発明は、本発明の特徴から逸脱しない範囲で別の特定の形態に具体化できるということが当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の等価的範囲内における変更はいずれも本発明の範囲に含まれる。
【産業上の利用可能性】
【０１４６】
以上のような下りリンクデータチャネルを送受信する方法及びそのための装置は、３ＧＰＰ ＬＴＥシステムに適用される例を中心として説明したが、３ＧＰＰ ＬＴＥシステム以外にも様々な無線通信システムに適用することができる。
【図１】
2021519026.tif 000007
【図２】
2021519026.tif 000008
【図３】
2021519026.tif 000009
【図４】
2021519026.tif 000010
【図５】
2021519026.tif 000011
【図６】
2021519026.tif 000012
【図７】
2021519026.tif 000013
【図８】
2021519026.tif 000014
【図９】
2021519026.tif 000015
【図１０（ａ）】
2021519026.tif 000016
【図１０（ｂ）】
2021519026.tif 000017
【図１１】
2021519026.tif 000018
【図１２】
2021519026.tif 000019
【図１３】
2021519026.tif 000020
【図１４】
2021519026.tif 000021
【図１５】
2021519026.tif 000022
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
無線通信システムにおいて、端末が下りリンクデータを受信する方法であって、
複数の送信時間間隔(Ｔｒａｎｓｍｉｓｓｉｏｎ Ｔｉｍｅ Ｉｎｔｅｒｖａｌ；ＴＴＩ)を介して繰り返し送信される前記下りリンクデータの繰り返し回数に関する情報を受信し、
前記下りリンクデータを受信し、
第２サブフレームに対する送信モード（ＴＭ）とは異なる、前記複数のＴＴＩの第１ＴＴＩを含む、第１サブフレームに対する送信モード（ＴＭ）に基づいて、前記下りリンクデータは、前記第１ＴＴＩに続き、前記第２サブフレームに含まれる少なくとも一つの第２ＴＴＩから除外される、
下りリンクデータ受信方法。
【請求項２】
前記第１サブフレームと前記第２サブフレームは時間において連続する、請求項１に記載の下りリンクデータ受信方法。
【請求項３】
前記第１サブフレームの送信モード（ＴＭ）が前記第２サブフレームの送信モード（ＴＭ）とは異なるとの決定に基づいて、前記下りリンク（ＤＬ）データの送信は前記第１サブフレームの後で停止する、請求項１に記載の下りリンクデータ受信方法。
【請求項４】
前記第１サブフレーム及び前記第２サブフレームのいずれか１つはＭＢＳＦＮ(Ｍｕｌｔｉｃａｓｔ Ｂｒｏａｄｃａｓｔ Ｓｉｎｇｌｅ Ｆｒｅｑｕｅｎｃｙ Ｎｅｔｗｏｒｋ)サブフレームであり、
前記第１サブフレーム及び前記第２サブフレームの他の１つはｎｏｎ−ＭＢＳＦＮサブフレームである、請求項１に記載の下りリンクデータ受信方法。
【請求項５】
前記第１サブフレーム及び前記第２サブフレームのいずれか１つに対してＣＲＳ(Ｃｏｍｍｏｎ Ｒｅｆｅｒｅｎｃｅ Ｓｉｇｎａｌ)ベースの送信モードが設定され、
前記第１サブフレーム及び前記第２サブフレームの他の１つに対してＤＭＲＳ(Ｄｅｍｏｄｕｌａｔｉｏｎ Ｒｅｆｅｒｅｎｃｅ Ｓｉｇｎａｌ)ベースの送信モードが設定される、請求項１に記載の下りリンクデータ受信方法。
【請求項６】
前記下りリンクデータの繰り返し回数に関する情報はＣ−ＲＮＴＩ(ｃｅｌｌ−ｒａｄｉｏ Ｎｅｔｗｏｒｋ Ｔｅｍｐｏｒａｒｙ Ｉｄｅｎｔｉｆｉｅｒ)ベースのＤＣＩ(Ｄｏｗｎｌｉｎｋ ｃｏｎｔｒｏｌ Ｉｎｆｏｒｍａｔｉｏｎ)に含まれる、請求項１に記載の下りリンクデータ受信方法。
【請求項７】
前記第１ＴＴＩ及び前記少なくとも一つの第２ＴＴＩは、短いＴＴＩ(Ｓｈｏｒｔ ＴＴＩ)である、請求項１に記載の下りリンクデータ受信方法。
【請求項８】
無線通信システムにおいて、下りリンクデータを受信するための装置であって、
少なくとも一つのプロセッサと、
前記少なくとも一つのプロセッサに動作的に結合され、前記少なくとも一つのプロセッサが実行された時、動作を実行する指示を格納した少なくとも一つのコンピュータメモリとを含み、
前記動作は、
複数の送信時間間隔(Ｔｒａｎｓｍｉｓｓｉｏｎ Ｔｉｍｅ Ｉｎｔｅｒｖａｌ；ＴＴＩ)を介して繰返し送信される、下りリンクデータの繰り返し回数に関する情報を受信し、前記下りリンクデータを受信することを含み、
第２サブフレームに対するＴＭとは異なる、前記複数のＴＴＩの第１ＴＴＩを含む第１サブフレームに対する送信モードに基づいて、前記下りリンクデータは、前記第１ＴＴＩに続き、前記第２サブフレームに含まれる少なくとも一つの第２ＴＴＩから除外される、装置。
【請求項９】
前記第１サブフレームと前記第２サブフレームは時間において連続する、請求項８に記載の装置。
【請求項１０】
前記第１サブフレームの送信モード（ＴＭ）が前記第２サブフレームの送信モード（ＴＭ）とは異なるとの決定に基づいて、前記下りリンク（ＤＬ）データの送信は前記第１サブフレームの後で停止する、請求項８に記載の装置。
【請求項１１】
前記第１サブフレーム及び前記第２サブフレームのいずれか１つはＭＢＳＦＮ(Ｍｕｌｔｉｃａｓｔ Ｂｒｏａｄｃａｓｔ Ｓｉｎｇｌｅ Ｆｒｅｑｕｅｎｃｙ Ｎｅｔｗｏｒｋ)サブフレームであり、
前記第１サブフレーム及び前記第２サブフレームの他の１つはｎｏｎ−ＭＢＳＦＮサブフレームである、請求項８に記載の装置。
【請求項１２】
前記第１サブフレーム及び前記第２サブフレームのいずれか１つにはＣＲＳ(Ｃｏｍｍｏｎ Ｒｅｆｅｒｅｎｃｅ Ｓｉｇｎａｌ)ベースの送信モードが設定され、
前記第１サブフレーム及び前記第２サブフレームの他の１つにはＤＭＲＳ(Ｄｅｍｏｄｕｌａｔｉｏｎ Ｒｅｆｅｒｅｎｃｅ Ｓｉｇｎａｌ)ベースの送信モードが設定される、請求項８に記載の装置。
【請求項１３】
前記下りリンクデータの繰り返し回数に関する情報はＣ−ＲＮＴＩ(ｃｅｌｌ−ｒａｄｉｏ Ｎｅｔｗｏｒｋ Ｔｅｍｐｏｒａｒｙ Ｉｄｅｎｔｉｆｉｅｒ)ベースのＤＣＩ(Ｄｏｗｎｌｉｎｋ ｃｏｎｔｒｏｌ Ｉｎｆｏｒｍａｔｉｏｎ)に含まれる、請求項８に記載の装置。
【請求項１４】
前記第１ＴＴＩ及び前記少なくとも一つの第２ＴＴＩは、短いＴＴＩ(Ｓｈｏｒｔ ＴＴＩ)である、請求項８に記載の装置。
【請求項１５】
無線通信システムにおいて、基地局が下りリンクデータを送信する方法であって、
複数の送信時間間隔(Ｔｒａｎｓｍｉｓｓｉｏｎ Ｔｉｍｅ Ｉｎｔｅｒｖａｌ；ＴＴＩ)を介して繰り返し送信される前記下りリンクデータの繰り返し回数に関する情報を送信し、
前記下りリンクデータの繰り返し回数に基づいて前記下りリンクデータを送信し、
第２サブフレームに対する送信モード（ＴＭ）とは異なる、前記複数のＴＴＩの第１ＴＴＩを含む、第１サブフレームに対する送信モード（ＴＭ）に基づいて、前記下りリンクデータは、前記第１ＴＴＩに続き、前記第２サブフレームに含まれる少なくとも一つの第２ＴＴＩから除外される、下りリンクデータ送信方法。
【請求項１６】
無線通信システムにおいて、下りリンクデータを受信するための端末であって、
少なくとも一つのトランシーバーと、
少なくとも一つのプロセッサと、
前記少なくとも一つのプロセッサと動作的に結合され、前記少なくとも一つのプロセッサが実行された時、動作を実行する指示を格納する少なくとも一つのコンピュータメモリとを含み、
前記動作は、
複数の送信時間間隔(Ｔｒａｎｓｍｉｓｓｉｏｎ Ｔｉｍｅ Ｉｎｔｅｒｖａｌ；ＴＴＩ)を介して繰り返し送信される前記下りリンクデータの繰り返し回数に関する情報を受信し、
前記下りリンクデータを前記少なくとも一つのトランシーバーを介して受信することを含み、
第２サブフレームに対する送信モード（ＴＭ）とは異なる、前記複数のＴＴＩの第１ＴＴＩを含む、第１サブフレームに対する送信モード（ＴＭ）に基づいて、前記下りリンクデータは、前記第１ＴＴＩに続き、前記第２サブフレームに含まれる少なくとも一つの第２ＴＴＩから除外される、端末。
【請求項１７】
無線通信システムにおいて、下りリンクデータを送信するための基地局であって、
少なくとも一つのトランシーバーと、
少なくとも１つのプロセッサと、
前記少なくとも一つのプロセッサと動作的に結合され、前記少なくとも一つのプロセッサが実行された時、動作を実行する指示を格納する少なくとも一つのコンピュータメモリを含み、
前記動作は、
複数の送信時間間隔(Ｔｒａｎｓｍｉｓｓｉｏｎ Ｔｉｍｅ Ｉｎｔｅｒｖａｌ；ＴＴＩ)を介して繰り返し送信される前記下りリンクデータの繰り返し回数に関する情報を送信し、
前記下りリンクデータの繰り返し回数に基づいて前記下りリンクデータを前記少なくとも一つのトランシーバーを介して送信することを含み、
第２サブフレームに対する送信モード（ＴＭ）とは異なる、前記複数のＴＴＩの第１ＴＴＩを含む、第１サブフレームのための送信モード（ＴＭ）に基づいて、前記下りリンクデータは、前記第１ＴＴＩに続き、前記第２サブフレームに含まれる少なくとも一つの第２ＴＴＩから除外される、基地局。
【国際調査報告】
2021519026.tif 000023
2021519026.tif 000024
2021519026.tif 000025
2021519026.tif 000026